(57)【要約】  ハイブリッドテロデンドリマー及び当該ハイブリッドテロデンドリマーを含むナノ担体の方法及び組成物を提供する。
2019533038.tif 000002
【特許請求の範囲】
【請求項１】
式ＩＩＩの化合物であって、
（ＰＥＧ）ｍ−Ａｐ−Ｌ−Ｄ（Ｙ１）ｑ−（Ｒ）ｎ  （ＩＩＩ）
Ａは、少なくとも１つのＰＥＧ基に結合し、
Ｄは、１つのフォーカルポイント基、複数の分岐モノマー単位Ｘ、複数の架橋性基Ｙ１、及び複数の末端基Ｒを有する樹状ポリマーであり、
Ｌは、樹状ポリマーのフォーカルポイント基に結合した結合又はリンカーであり、
ＰＥＧはそれぞれ、ポリエチレングリコール（ＰＥＧ）ポリマーであり、ＰＥＧポリマーはそれぞれ１〜５０ｋＤａの分子量を有し、
Ｒはそれぞれ、Ｒ’及びＲ’’から独立して選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質、及び薬物から成る群から選択され、Ｒはそれぞれ、１００ｇ／ｍｏｌ超、２０００ｇ／ｍｏｌ未満の分子量を有し、
添字ｎは８〜２０の整数であり、添字ｎは樹状ポリマーの末端基の数と等しく、
Ｙ１はそれぞれ独立してチオール、ボロン酸、１，２−ジオール、又はシステイン基から成る群から選択される架橋性基であり、
添字ｍは０〜５の整数であり、並びに
添字ｐ及びｑはそれぞれ、０又は２〜１０である、式ＩＩＩの化合物。
【請求項２】
請求項１に記載の化合物であって、式Ｉの構造を有し、
（ＰＥＧ）ｍ−Ｌ−Ｄ−（Ｒ）ｎ  （Ｉ）
Ｄは、１つのフォーカルポイント基、複数の分岐モノマー単位Ｘ、及び複数の末端基Ｒを有する樹状ポリマーであり、
Ｌは、樹状ポリマーのフォーカルポイント基に結合した結合又はリンカーであり、
ＰＥＧはそれぞれ、ポリエチレングリコール（ＰＥＧ）ポリマーであり、ＰＥＧポリマーはそれぞれ１〜５０ｋＤａの分子量を有し、
Ｒはそれぞれ１００ｇ／ｍｏｌ超及び２０００ｇ／ｍｏｌ未満の分子量を有し、
Ｒはそれぞれ独立して、直接又はリンカーＬ’を介して、樹状ポリマーのモノマーＸに結合し、
Ｒはそれぞれ独立してＲ’及びＲ’’から選択され、
Ｒ’は疎水面及び親水面を有する両親媒性化合物であり、並びに
Ｒ’’は飽和又は不飽和脂肪酸、飽和又は不飽和カルボン酸、ビタミン若しくはその代謝物、酵素補因子、抗生物質又は薬物であり、
添字ｎは８〜２０の整数であり、添字ｎは樹状ポリマーの末端基の数と等しく、Ｒ基の数ｎの少なくとも４分の１はＲ’であり、並びに
添字ｍは０〜５の整数である、請求項１に記載の化合物。
【請求項３】
分岐モノマー単位Ｘがそれぞれ独立してジアミノカルボン酸、ジヒドロキシカルボン酸及びヒドロキシルアミノカルボン酸から成る群から選択される請求項２に記載の化合物。
【請求項４】
ジアミノカルボン酸がアミノ酸である請求項３に記載の化合物。
【請求項５】
分岐モノマー単位Ｘがそれぞれリジンである請求項３に記載の化合物。
【請求項６】
Ｒ’がそれぞれ独立して、コール酸、（３α，５β，７α，１２α）−７，１２−ジヒドロキシ−３−（２，３−ジヒドロキシ−１−プロポキシ）−コール酸、（３α，５β，７α，１２α）−７−ヒドロキシ−３，１２−ジ（２，３−ジヒドロキシ−１−プロポキシ）コール酸、及び（３α，５β，７α，１２α）−７，１２−ジヒドロキシ−３−（３−アミノ−２−ヒドロキシ−１−プロポキシ）−コール酸から成る群から選択される請求項２に記載の化合物。
【請求項７】
Ｒ’がそれぞれコール酸である請求項６に記載の化合物。
【請求項８】
以下の構造を有し、
【化１】
2019533038.tif 000038
分岐モノマー単位Ｘがそれぞれリジンである請求項２に記載の化合物。
【請求項９】
Ｒ’がそれぞれ独立して、コール酸（ＣＡ）、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）、及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択される請求項８に記載の化合物。
【請求項１０】
Ｒ’’がそれぞれ独立してビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、コレカルシフェロール、及び非ステロイド性抗炎症薬から成る群から選択される請求項２に記載の化合物。
【請求項１１】
Ｒ’’がそれぞれ、エトドラク、インドメタシン、ナプロキセン、オキサプロジン及びスリンダクから成る群から独立して選択される非ステロイド性抗炎症薬である請求項２に記載の化合物。
【請求項１２】
以下の式を有し、
【化２】
2019533038.tif 000039
Ｘがそれぞれリジンであり、
ＰＥＧがＰＥＧ５ｋであり、
Ｒ’がそれぞれ、コール酸、ＣＡ−４ＯＨ、ＣＡ−５ＯＨ、又はＣＡ−３ＯＨ−ＮＨ２であり、並びに
Ｒ’’がそれぞれビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、及びコレカルシフェロールから成る群から選択される請求項８に記載の化合物。
【請求項１３】
以下の式を有し、
【化３】
2019533038.tif 000040
Ｘがそれぞれリジンであり、
ＰＥＧがＰＥＧ５ｋであり、
Ｒ’がそれぞれ、コール酸であり、並びに
Ｒ’’がそれぞれ、エトドラク、インドメタシン、ナプロキセン、オキサプロジン、及びスリンダクから成る群から選択される請求項８に記載の化合物。
【請求項１４】
リンカーＬがポリエチレングリコール、ポリセリン、ポリグリシン、ポリ（セリン−グリシン）、脂肪族アミノ酸類、６−アミノヘキサン酸、５−アミノペンタン酸、４−アミノブタン酸及びベータ−アラニンから成る群から選択される請求項２に記載の化合物。
【請求項１５】
リンカーＬが以下の式を有する請求項２に記載の化合物。
【化４】
2019533038.tif 000041
【請求項１６】
以下の式を有し、
【化５】
2019533038.tif 000042
分岐モノマー単位Ｘがそれぞれリジンであり、及び
Ｌ’がそれぞれ、リンカーＥｂｅｓ又はコハク酸である請求項２に記載の化合物。
【請求項１７】
両親媒性化合物Ｒ’がそれぞれコール酸である請求項１６に記載の化合物。
【請求項１８】
Ｌ’がコハク酸であり、Ｒ’’がそれぞれ独立してリボフラビン、ピリドキシン及びコレカルシフェロールから成る群から選択される請求項１６に記載の化合物。
【請求項１９】
Ｌ’がリンカーＥｂｅｓであり、Ｒ’’がそれぞれ独立してビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、及びアミノカプロン酸から成る群から選択される請求項１６に記載の化合物。
【請求項２０】
式ＩＩの構造を有し、
（ＰＥＧ）ｍ−Ａｐ−Ｌ−Ｄ（Ｙ１）ｑ−（Ｒ）ｎ  （ＩＩ）
Ａは、少なくとも１つのＰＥＧ基に結合し、
Ｄは、１つのフォーカルポイント基、複数の分岐モノマー単位Ｘ、及び複数の末端基を有する樹状ポリマーであり、
Ｌは、樹状ポリマーのフォーカルポイント基に結合した結合又はリンカーであり、
ＰＥＧはそれぞれ、ポリエチレングリコール（ＰＥＧ）ポリマーであり、ＰＥＧポリマーはそれぞれ１〜５０ｋＤａの分子量を有し、
Ｒはそれぞれ１００ｇ／ｍｏｌ超及び２０００ｇ／ｍｏｌ未満の分子量を有し、
Ｒはそれぞれ独立してＲ’及びＲ’’から選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質、及び薬物から成る群から選択され、
添字ｎは８〜２０の整数であり、添字ｎは樹状ポリマーの末端基の数と等しく、Ｒ基の数ｎの少なくとも４分の１はＲ’であり、
Ｙ１はそれぞれ独立してチオール、ボロン酸、１，２−ジオール、又はシステイン基から成る群から選択される架橋性基であり、
添字ｍは０〜５の整数であり、並びに
添字ｐ及びｑはそれぞれ０又は２〜１０であり、添字ｐ及びｑの１つは２〜１０である請求項１に記載の化合物。
【請求項２１】
分岐モノマー単位Ｘがそれぞれ独立してジアミノカルボン酸、ジヒドロキシカルボン酸及びヒドロキシルアミノカルボン酸から成る群から選択される請求項２０に記載の化合物。
【請求項２２】
ジアミノカルボン酸がアミノ酸である請求項２１に記載の化合物。
【請求項２３】
分岐モノマー単位Ｘがそれぞれリジンである請求項２１に記載の化合物。
【請求項２４】
Ｒ’がそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）、及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択される請求項２０に記載の化合物。
【請求項２５】
Ｒ’がそれぞれコール酸である請求項２０に記載の化合物。
【請求項２６】
リンカーＬが以下の式を有するＥｂｅｓリンカーである請求項２０に記載の化合物。
【化６】
2019533038.tif 000043
【請求項２７】
以下の式の構造を有し、
ＰＥＧ−Ｄ（Ｙ１）ｑ−（Ｒ）ｎ  （ＩＩｂ）
添字ｑは２〜１０の整数である請求項２０に記載の化合物。
【請求項２８】
以下の式の構造を有し、
【化７】
2019533038.tif 000044
Ｌ’及びＬ”がそれぞれ独立して結合又はリンカーＥｂｅｓ、アミノカプロン酸、５−アミノペンタン酸、４−アミノブタン酸、β−アラニン又はコハク酸であり、
ＰＥＧが１〜５０ｋＤａの分子量を有し、
Ｒ’がそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）、及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択され、
Ｒ’’がそれぞれ独立して飽和又は不飽和脂肪酸、飽和又は不飽和カルボン酸、ビタミン又はその代謝物、酵素補因子、抗生物質及び薬物であり、
分岐モノマー単位Ｘがそれぞれジアミノカルボン酸であり、並びに
Ｙ１がそれぞれ、チオール、ボロン酸、１，２−ジオール又はシステインである請求項２０に記載の化合物。
【請求項２９】
Ｒ’’がそれぞれ独立してビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、及びコレカルシフェロールから成る群から選択される請求項２８に記載の化合物。
【請求項３０】
ＰＥＧがＰＥＧ５ｋである請求項２８に記載の化合物。
【請求項３１】
Ｒ’がそれぞれコール酸である請求項２８に記載の化合物。
【請求項３２】
分岐モノマー単位Ｘがそれぞれリジンである請求項２８に記載の化合物。
【請求項３３】
リンカーＬ’がコハク酸であり、Ｒ’’がそれぞれ独立してリボフラビン、ピリドキシン及びコレカルシフェロールから成る群から選択される請求項２８に記載の化合物。
【請求項３４】
リンカーＬ’が結合又はリンカーＥｂｅｓ、アミノカプロン酸、５−アミノペンタン酸、４−アミノブタン酸、又はβ−アラニンであり、Ｒ’’がそれぞれ独立してビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、及びアミノカプロン酸から成る群から選択される請求項２８に記載の化合物。
【請求項３５】
リンカーＬ’が結合であり、リンカーＬ”がリンカーＥｂｅｓ、アミノカプロン酸、５−アミノペンタン酸、４−アミノブタン酸、又はβ−アラニンである請求項２８に記載の化合物。
【請求項３６】
リンカーＬ”がリンカーＥｂｅｓである請求項３５に記載の化合物。
【請求項３７】
以下の式の構造を有し、
【化８】
2019533038.tif 000045
Ｌ”がそれぞれ独立して結合又はリンカーＥｂｅｓであり、
ＰＥＧが１〜５０ｋＤａの分子量を有し、
Ｒ’がそれぞれ、コール酸であり、
Ｒ’’がそれぞれ、桂皮酸及びリノール酸から成る群から選択され、
分岐モノマー単位Ｘがそれぞれリジンであり、並びに
Ｙ１がそれぞれシステインである請求項２０に記載の化合物。
【請求項３８】
以下の式の化合物であって、
【化９】
2019533038.tif 000046
Ｘは分岐モノマー単位であり、
Ｌは結合又はリンカーであり、
ＰＥＧはそれぞれ、ポリエチレングリコール（ＰＥＧ）ポリマーであり、ＰＥＧポリマーはそれぞれ１〜５０ｋＤａの分子量を有し、
Ｒ’がそれぞれ独立して、疎水面及び親水面を有する両親媒性化合物であり、Ｒ’がそれぞれ独立して結合又はリンカーを介して異なる分岐モノマー単位に結合され、並びに
Ｒ’’がそれぞれ独立してチオール、システイン及びＮ−アセチルシステインから成る群から選択される架橋性基であり、架橋性基がそれぞれ独立して、結合又はリンカーを介して異なる分岐モノマー単位に結合される化合物。
【請求項３９】
Ｒ’’がそれぞれ独立してリンカーＥｂｅｓ、アミノカプロン酸、５−アミノペンタン酸、４−アミノブタン酸、４−アミノブタン酸又はβ−アラニンを介して分岐モノマー単位Ｘに結合される請求項３８に記載の化合物。
【請求項４０】
分岐モノマー単位Ｘがそれぞれ独立してジアミノカルボン酸、ジヒドロキシカルボン酸及びヒドロキシルアミノカルボン酸から成る群から選択される請求項３８に記載の化合物。
【請求項４１】
ジアミノカルボン酸がアミノ酸である請求項４０に記載の化合物。
【請求項４２】
分岐モノマー単位Ｘがそれぞれリジンである請求項４０に記載の化合物。
【請求項４３】
Ｒ’がそれぞれ独立して、コール酸、（３α，５β，７α，１２α）−７，１２−ジヒドロキシ−３−（２，３−ジヒドロキシ−１−プロポキシ）−コール酸、（３α，５β，７α，１２α）−７−ヒドロキシ−３，１２−ジ（２，３−ジヒドロキシ−１−プロポキシ）コール酸、及び（３α，５β，７α，１２α）−７，１２−ジヒドロキシ−３−（３−アミノ−２−ヒドロキシ−１−プロポキシ）−コール酸から成る群から選択される請求項３８に記載の化合物。
【請求項４４】
Ｒ’がそれぞれコール酸である請求項４３に記載の化合物。
【請求項４５】
ＰＥＧがＰＥＧ５ｋである請求項４０に記載の化合物。
【請求項４６】
以下の式を有し、
【化１０】
2019533038.tif 000047
分岐モノマー単位Ｘがそれぞれリジンであり、
Ｌは結合又はリンカーであり、
リンカーＬ’が６−アミノヘキサン酸であり、
ＰＥＧがＰＥＧ５ｋであり、
Ｒ’がそれぞれ、コール酸であり、及び
Ｒ’’がそれぞれＮ‐アセチルシステインである請求項３８に記載の化合物。
【請求項４７】
内部及び外部を有するナノ担体であって、当該ナノ担体は少なくとも２つの複合体を含み、少なくとも１つの複合体は請求項２に記載の化合物であり、複合体はそれぞれ、
ポリエチレングリコール（ＰＥＧ）ポリマー、
少なくとも２つのＲ’を含み、Ｒ’は疎水面及び親水面を有する両親媒性化合物であり、並びに
ＰＥＧに共有結合する樹状ポリマー、及び両親媒性化合物を含み、
複合体はそれぞれ水性相溶媒において自己組織化してナノ担体を形成し、疎水性ポケットが互いに対してそれぞれの両親媒性化合物の疎水面の配向によって、ナノ担体の内部に形成され、それぞれの複合体のＰＥＧがナノ担体の外部で自己組織化する内部及び外部を有するナノ担体。
【請求項４８】
複合体のそれぞれが請求項２に記載の化合物を含む請求項４７に記載のナノ担体。
【請求項４９】
Ｒ’がそれぞれコール酸である請求項４７に記載のナノ担体。
【請求項５０】
内部及び外部を有する可逆的に架橋されるナノ担体であって、当該ナノ担体は少なくとも２つの複合体を含み、少なくとも１つの複合体は請求項２０に記載の化合物であり、複合体はそれぞれ、
ポリエチレングリコール（ＰＥＧ）ポリマー、
少なくとも２つのＲ’を含み、Ｒ’はそれぞれ独立して疎水面及び親水面を有する両親媒性化合物であり、
架橋性基Ｙ１、並びに
ＰＥＧ、Ｒ’及びＲ’’基に共有結合する樹状ポリマーを含み、
複合体はそれぞれ水性相溶媒において自己組織化して、疎水性ポケットがそれぞれのＲ’の互いに対する疎水面の配向によって、ナノ担体の内部に形成されるように、ナノ担体を形成し、それぞれの複合体のＰＥＧがナノ担体の外部で自己組織化し、少なくとも２つの複合体が架橋性基を介して可逆的に架橋する内部及び外部を有する可逆的に架橋されるナノ担体。
【請求項５１】
複合体のそれぞれが請求項２０に記載の化合物を含む請求項５０に記載のナノ担体。
【請求項５２】
ナノ担体が架橋性チオール基を含む請求項５０に記載のナノ担体。
【請求項５３】
Ｒ’がそれぞれコール酸である請求項５０に記載のナノ担体。
【請求項５４】
内部及び外部を有する可逆的に架橋されるナノ担体であって、当該ナノ担体は少なくとも２つの複合体を含み、少なくとも１つの複合体は請求項３８に記載の化合物であり、複合体はそれぞれ、
疎水面及び親水面を有する両親媒性化合物Ｒ’、
架橋性基Ｒ’’、並びに
ポリエチレングリコール（ＰＥＧ）ポリマーを含み、
複合体はそれぞれ水性相溶媒において自己組織化してナノ担体を形成し、疎水性ポケットが互いに対してそれぞれの両親媒性化合物の疎水面の配向によって、ナノ担体の内部に形成され、それぞれの複合体のＰＥＧがナノ担体の外部で自己組織化し、少なくとも２つの複合体が架橋性基を介して可逆的に架橋する内部及び外部を有する可逆的に架橋されるナノ担体。
【請求項５５】
Ｒ’がそれぞれコール酸である請求項５４に記載のナノ担体。
【請求項５６】
複合体のそれぞれが請求項３８に記載の化合物である請求項５４に記載のナノ担体。
【請求項５７】
請求項４７〜５６の何れかに記載のナノ担体の治療有効量を治療を必要とする対象に投与することを含み、ナノ担体が薬物をさらに含む、疾患を治療する方法。
【請求項５８】
薬物がナノ担体の内部に隔離される疎水性薬物である請求項５７に記載の方法。
【請求項５９】
ナノ担体がイメージング剤をさらに含む請求項５７に記載の方法。
【請求項６０】
ナノ担体が放射性核種をさらに含む請求項５７に記載の方法。
【請求項６１】
請求項４７〜５６の何れかに記載のナノ担体の治療有効量をイメージングする対象に投与することを含み、ナノ担体がイメージング剤をさらに含むイメージングの方法。
【発明の詳細な説明】
【技術分野】
【０００１】
関連出願の相互参照
本出願は、２０１６年９月１５日に出願した米国仮特許出願第６２／３９５，２３７号の優先権を主張し、全ての目的についてその全体が本明細書に援用される。
政府のライセンス権
【０００２】
本発明は、国立保健研究所によって与えられた契約番号２Ｒ０１ＣＡ１１５４８３−０８及び１Ｕ０１ＣＡ１９８８８０−０１の下で政府の援助を受けた。政府は本発明に一定の権利を有する。
【背景技術】
【０００３】
対象を通じて、標的位置に小分子薬物を送達する方法及び組成物は、研究の重要分野である。タキサンは、細胞分裂の間に正常な微小管崩壊を妨げることによって働く小分子抗癌剤のベンチマーククラスである。現在、タキサンファミリーの３つのメンバー、すなわち、パクリタキセル（ＰＴＸ）、ドセタキセル（ＤＴＸ）及びカバジタキセル（ＣＴＸ）が米国医薬品局によってその臨床使用が承認されており（図１）、パクリタキセル（ＰＴＸ）及びドセタキセル（ＤＴＸ）は、乳癌、卵巣癌及び肺癌等の多くの形態の癌のフロントラインの治療選択肢として広く処方されている。ＣＴＸは、ホルモン難治性前立腺癌の治療のために承認されたタキサンファミリーの最新メンバーである。広く人気があるものの、この３つのタキサンは全て低可溶性であり、それによって医学的使用に効果的な製剤の開発を困難にしている。この３つのタキサンは、Ｃｒｅｍｏｐｈｏｒ  ＥＬ／無水エタノールの混合物、又はポリソルベート８０の何れかに配合され、両方とも深刻な副作用（過敏症反応、末梢神経毒性など）に関連する。癌分野のナノ医療の適用によって、ＰＴＸを負荷したヒト血清ナノ凝集体（Abraxane（登録商標））の開発及びＦＤＡ承認が進んだ。より多くの薬物を提供することができるが（アブラキサンの２４０ｍｇ／ｍ２ＰＴＸ対パクリタキセルの１７５ｍｇ／ｍ２のＰＴＸ）、これらのナノ粒子は相対的に「大きく」（直径１３０ｎｍ）であり、臨床的有効性の改善がほとんどない。多品種のＰＴＸ及びＤＴＸナノ製剤が発見され、もっと最近ではＣＴＸナノ製剤が試みられた。しかし、我々の最大限の我々の知識を以ってしても、高負荷効率でタキサンファミリーの全メンバーを安定してカプセル化することができる１つのポリマー又はナノプラットフォームは存在しない。本発明はこれとその他の必要性を満足する。
【発明の概要】
【０００４】
一実施形態において、本発明は式ＩＩＩの化合物を提供し、
（ＰＥＧ）ｍ−Ａｐ−Ｌ−Ｄ（Ｙ１）ｑ−（Ｒ）ｎ    （ＩＩＩ）
Ａは少なくとも１つのＰＥＧ基に結合し、Ｄは１つのフォーカルポイント基、複数の分岐モノマー単位Ｘ、複数の架橋性基Ｙ１、及び複数の末端基Ｒを有する樹状ポリマーであり、Ｌは樹状ポリマーのフォーカルポイント基に結合した結合又はリンカーであり、ＰＥＧはそれぞれ、ポリエチレングリコール（ＰＥＧ）ポリマーであり、ＰＥＧポリマーはそれぞれ１〜５０ｋＤａの分子量を有し、Ｒはそれぞれ独立してＲ’及びＲ’’から選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質及び薬物から成る群から選択され、Ｒはそれぞれ１００ｇ／ｍｏｌ超及び２０００ｇ／ｍｏｌ未満の分子量を有し、添字ｎは整数８〜２０であり、添字ｎは樹状ポリマーの末端基の数と等しく、Ｙ１はそれぞれ独立して、チオール、ボロン酸、１，２−ジオール又はシステイン基から成る群から選択される架橋性基であり、添字ｍは０〜５の整数であり、添字ｐ及びｑは０又は２〜１０である。
【０００５】
別の実施形態において、本発明は式Ｉの化合物を提供し、
（ＰＥＧ）ｍ−Ｌ−Ｄ−（Ｒ）ｎ     （Ｉ）
Ｄは１つのフォーカルポイント基、複数の分岐モノマー単位Ｘ、及び複数の末端基Ｒを有する樹状ポリマーであり、Ｌは樹状ポリマーのフォーカルポイント基に結合した結合又はリンカーであり、ＰＥＧはそれぞれ、ポリエチレングリコール（ＰＥＧ）ポリマーであり、ＰＥＧポリマーはそれぞれ１〜５０ｋＤａの分子量を有し、Ｒはそれぞれ独立して直接又はリンカーＬを介して樹状ポリマーのモノマーＸに結合し、Ｒはそれぞれ独立してＲ’及びＲ’’であり、Ｒ’は疎水面及び親水面を有する両親媒性化合物であり、Ｒ’’は飽和又は不飽和脂肪酸、飽和又は不飽和カルボン酸、ビタミン又はその代謝物、酵素補因子、抗生物質及び薬物から成る群から選択され、添字ｎは整数８〜２０であり、添字ｎは樹状ポリマーの末端基の数と等しく、Ｒ基の数ｎの少なくとも４分の１はＲ’であり、添字ｍは０〜５の整数である。いくつかの実施形態において、Ｒはそれぞれ１００ｇ／ｍｏｌ超及び２０００ｇ／ｍｏｌ未満の分子量を有する。
【０００６】
別の実施形態において、本発明は式ＩＩの化合物を提供し、
（ＰＥＧ）ｍ−Ａｐ−Ｌ−Ｄ（Ｙ１）ｑ−（Ｒ）ｎ    （ＩＩ）
Ａは少なくとも１つのＰＥＧ基に結合し、Ｄは１つのフォーカルポイント基、複数の分岐モノマー単位Ｘ、及び複数の末端基を有する樹状ポリマーであり、Ｌは樹状ポリマーのフォーカルポイント基に結合した結合又はリンカーであり、ＰＥＧはそれぞれ、ポリエチレングリコール（ＰＥＧ）ポリマーであり、ＰＥＧポリマーはそれぞれ１〜５０ｋＤａの分子量を有し、Ｒはそれぞれ独立してＲ’及びＲ’’から選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質及び薬物から成る群から選択され、添字ｎは整数８〜２０であり、添字ｎは樹状ポリマーの末端基の数と等しく、Ｒ基の数ｎの少なくとも４分の１はＲ’であり、Ｙ１はそれぞれ独立して、チオール、ボロン酸、１，２−ジオール又はシステイン基から成る群から選択される架橋性基であり、添字ｍは０〜５の整数であり、添字ｐ及びｑは０又は２〜１０であり、添字ｐ及びｑの１つは２〜１０である。いくつかの実施形態において、Ｒはそれぞれ１００ｇ／ｍｏｌ超及び２０００ｇ／ｍｏｌ未満の分子量を有する。
【０００７】
別の実施形態において、本発明は以下の式の化合物を提供し、
【化１】
2019533038.tif 000003
Ｘは分岐モノマー単位であり、Ｌは結合又はリンカーであり、ＰＥＧはそれぞれポリエチレングリコール（ＰＥＧ）ポリマーであり、ＰＥＧポリマーはそれぞれ１〜５０ｋＤａの分子量を有し、Ｒ’はそれぞれ独立して疎水面及び親水面を有する両親媒性化合物であり、Ｒ’はそれぞれ独立して結合又はリンカーを介して異なる分岐モノマー単位Ｘに結合し、Ｒ’’はそれぞれ独立してチオール、システイン、及びＮ‐アセチルシステインから成る群から選択される架橋性基であり、架橋性基はそれぞれ独立して結合又はリンカーを介して異なる分岐モノマー単位Ｘに結合する。いくつかの実施形態において、Ｒはそれぞれ１００ｇ／ｍｏｌ超及び２０００ｇ／ｍｏｌ未満の分子量を有する。
【０００８】
本発明は、少なくとも１つの、又は少なくとも２つの前述の複合体を含むナノ担体も提供する。いくつかの実施形態において、ナノ担体の少なくとも２つの複合体は、架橋性基を含み、１つの複合体の架橋性基は、別の複合体の架橋性基に架橋される。本発明は薬物を負荷したナノ担体も提供する。
【０００９】
本発明は、前述の化合物又はナノ担体の１つ以上を調製する方法も提供し、薬物又はイメージング剤を負荷したナノ担体を含む。本発明は、前述の化合物又はナノ担体の１つ以上を投与する方法も提供し、薬物又はイメージング剤を負荷したナノ担体を含む。
【図面の簡単な説明】
【００１０】
【図１】図1はＦＤＡによって承認されたタキサン薬物（左）及びＰＥＧ５Ｋ−ＣＡ８テロデンドリマーの化学構造を示す。
【００１１】
【図２】図２は本明細書に開示される両親媒性ポリマーの２つの異なる実施形態を示し、（左）ハイブリッドテロデンドリマーはコレート（ＣＡ）及び有機部分（ＯＭ）末端基、及び（右）非ハイブリッドテロデンドリマーを含み、テロデンドリマー末端基は全ての有機部分（ＯＭ）である。
【００１２】
【図３】図３は示されるテロデンドリマーの溶血アッセイの結果を示す。
【００１３】
【図４】図４はＭＤＡ−ＭＢ−２３１乳癌細胞に対する示されるテロデンドリマーの細胞傷害性を示す。報告した値は、３重の試料の平均±ＳＤである。
【００１４】
【図５】図５Ａはハイブリッドテロデンドリマーを生成する合成スキーム、図５Ｂは非ハイブリッドテロデンドリマーを生成する合成スキームを示す。
【００１５】
【図６】図６はＰＥＧポリマーＰＥＧ５ｋ−ＮＨ２のＭＡＬＤＩ−ＴＯＦ  ＭＳデータを示す。
【００１６】
【図７】図７はハイブリッドテロデンドリマーＰＥＧ５ｋ−（桂皮酸）４−ＣＡ４のＭＡＬＤＩ−ＴＯＦ  ＭＳデータを示す。
【００１７】
【図８】図８は非ハイブリッドテロデンドリマーＰＥＧ５ｋ−（桂皮酸）８のＭＡＬＤＩ−ＴＯＦ  ＭＳデータを示す。
【００１８】
【図９】図９はハイブリッドテロデンドリマーＰＥＧ５ｋ−（ソルビン酸）４−ＣＡ４のＭＡＬＤＩ−ＴＯＦ  ＭＳデータを示す。
【００１９】
【図１０】図１０は非ハイブリッドテロデンドリマーソルビン酸ＰＥＧ５ｋ−（ソルビン酸）８のＭＡＬＤＩ−ＴＯＦ  ＭＳデータを示す。
【００２０】
【図１１−１】図１１は代表的な示される薬物負荷ハイブリッド及び非ハイブリッドテロデンドリマーの動的光散乱法（ＤＬＳ）によって測定された粒径を示す。
【図１１−２】図１１は代表的な示される薬物負荷ハイブリッド及び非ハイブリッドテロデンドリマーの動的光散乱法（ＤＬＳ）によって測定された粒径を示す。
【図１１−３】図１１は代表的な示される薬物負荷ハイブリッド及び非ハイブリッドテロデンドリマーの動的光散乱法（ＤＬＳ）によって測定された粒径を示す。
【００２１】
【図１２】図１２はコレート（ＣＡ）を含むハイブリッドテロデンドリマーのクラス及びヒドロキシル又はアミン含有末端基の一実施形態を示す。
【００２２】
【図１３】図１３はジスルフィド系架橋性ハイブリッドテロデンドリマーのクラスの一実施形態を示す。
【００２３】
【図１４】図１４（左）はリポ酸系架橋性ハイブリッドテロデンドリマーのクラスの一実施形態を示し、図１４（右）は３つ以上のリポ酸系架橋性ハイブリッドテロデンドリマーを架橋するための反応スキームを示す。
【００２４】
【図１５】図１５は還元反応性ジスルフィド系ハイブリッドテロデンドリマーのクラスの一実施形態を示す。
【００２５】
【図１６】図１６は桂皮酸に基づいたジスルフィド架橋結合ポリマーＰＥＧ５Ｋ−（桂皮酸）４／（Ｃｙｓ−Ｌ−ＣＡ）４及びリノール酸に基づいたＰＥＧ５Ｋ−（リノール酸）４／（Ｃｙｓ−Ｌ−ＣＡ）４の合成を示す。
【００２６】
【図１７】図１７はＰＥＧ５Ｋ−（桂皮酸）４／（Ｃｙｓ−Ｌ−ＣＡ）４を使用して調製したナノ担体の容量のサイズ分布を示す。
【００２７】
【図１８】図１８はＰＥＧ５Ｋ−（リノール酸）４／（Ｃｙｓ−Ｌ−ＣＡ）４を使用して調製したナノ担体の容量のサイズ分布を示す。
【００２８】
【図１９】図１９はＰＥＧ５Ｋ−（リノール酸）４／（Ｃｙｓ−Ｌ−ＣＡ）４によるＳＤＳ安定性試験を示す。
【００２９】
【図２０】図２０はＰＥＧ５Ｋ−（リノール酸）４／（Ｃｙｓ−Ｌ−ＣＡ）４及びＤＴＴの１０ｍＭにおけるＳＤＳ安定性試験を示す。
【００３０】
【図２１】図２１はＮＳＡＩＤハイブリッドテロデンドリマーの調製を示す。
【００３１】
【図２２】図２２は本発明に有用なＮＳＡＩＤＳを示す。
【００３２】
【図２３】図２３はＰＥＧ５Ｋ−（エトドラク）４／（ＣＡ）４を使用して調製したナノ担体の容量のサイズ分布を示す。
【００３３】
【図２４】図２４はＰＥＧ５Ｋ−（インドメタシン）４／（ＣＡ）４を使用して調製したナノ担体の容量のサイズ分布を示す。
【００３４】
【図２５】図２５はＰＥＧ５Ｋ−（ナプロキセン）４／（ＣＡ）４を使用して調製したナノ担体の容量のサイズ分布を示す。
【００３５】
【図２６】図２６はＰＥＧ５Ｋ−（オキサプロジン）４／（ＣＡ）４を使用して調製したナノ担体の容量のサイズ分布を示す。
【００３６】
【図２７】図２７はＰＥＧ５Ｋ−（スリンダク）４／（ＣＡ）４を使用して調製したナノ担体の容量のサイズ分布を示す。
【００３７】
【図２８】図２８はＰＥＧ５Ｋ−（Ａｈｘ−（ＮＡｃ−Ｃｙｓ））４／ＣＡ４等の表面架橋性テロデンドリマーの調製を示す。
【００３８】
【図２９】図２９はＰＥＧ５Ｋ−（Ａｈｘ−（ＮＡｃ−Ｃｙｓ））４／ＣＡ４を使用して調製したナノ担体の容量のサイズ分布を示す。
【００３９】
【図３０】図３０はＰＥＧ５Ｋ−（Ａｈｘ−（ＮＡｃ−Ｃｙｓ））４／ＣＡ４によるＳＤＳ安定性試験を示す。
【００４０】
【図３１】図３１は１０ｍＭにおけるＰＥＧ５Ｋ−（Ａｈｘ−（ＮＡｃ−Ｃｙｓ））４／ＣＡ４及びＤＴＴによるＳＤＳ安定性試験を示す。
【００４１】
【図３２】図３２はカバジタキセルを負荷したＰＥＧ５Ｋ−（Ａｈｘ−（ＮＡｃ−Ｃｙｓ））４／ＣＡ４を使用して調製したナノ担体の容量のサイズ分布を示す。
【００４２】
【図３３】図３３はドセタキセルを負荷したＰＥＧ５Ｋ−（Ａｈｘ−（ＮＡｃ−Ｃｙｓ））４／ＣＡ４を使用して調製したナノ担体の容量のサイズ分布を示す。
【００４３】
【図３４】図３４はドキソルビシンを負荷したＰＥＧ５Ｋ−（Ａｈｘ−（ＮＡｃ−Ｃｙｓ））４／ＣＡ４を使用して調製したナノ担体の容量のサイズ分布を示す。
【００４４】
【図３５】図３５はエトポシドを負荷したＰＥＧ５Ｋ−（Ａｈｘ−（ＮＡｃ−Ｃｙｓ））４／ＣＡ４を使用して調製したナノ担体の容量のサイズ分布を示す。
【００４５】
【図３６】図３６はパクリタキセルを負荷したＰＥＧ５Ｋ−（Ａｈｘ−（ＮＡｃ−Ｃｙｓ））４／ＣＡ４を使用して調製したナノ担体の容量のサイズ分布を示す。
【００４６】
【図３７】図３７はＳＮ−３８を負荷したＰＥＧ５Ｋ−（Ａｈｘ−（ＮＡｃ−Ｃｙｓ））４／ＣＡ４を使用して調製したナノ担体の容量のサイズ分布を示す。
【００４７】
【図３８】図３８はビンブラスチンを負荷したＰＥＧ５Ｋ−（Ａｈｘ−（ＮＡｃ−Ｃｙｓ））４／ＣＡ４を使用して調製したナノ担体の容量のサイズ分布を示す。
【００４８】
【図３９】図３９はビンクリスチンを負荷したＰＥＧ５Ｋ−（Ａｈｘ−（ＮＡｃ−Ｃｙｓ））４／ＣＡ４を使用して調製したナノ担体の容量のサイズ分布を示す。
【００４９】
【図４０】図４０はＰＥＧ５Ｋ−（Ａｈｘ−（ＮＡｃ−Ｃｙｓ））４／ＣＡ４及びビンブラスチンを負荷したＰＥＧ５Ｋ−（Ａｈｘ−（ＮＡｃ−Ｃｙｓ））４／ＣＡ４を使用して調製したナノ担体に暴露された膀胱癌細胞（５６３７）の生存率を示す。
【００５０】
【図４１】図４１はＰＥＧ５Ｋ−（Ａｈｘ−（ＮＡｃ−Ｃｙｓ））４／ＣＡ４及びビンブラスチンを負荷したＰＥＧ５Ｋ−（Ａｈｘ−（ＮＡｃ−Ｃｙｓ））４／ＣＡ４を使用して調製したナノ担体に暴露された膀胱癌細胞（Ｊ８２）の生存率を示す。
【００５１】
【図４２】図４２はＤｉＤを負荷したＰＥＧ５Ｋ−（Ａｈｘ−（ＮＡｃ−Ｃｙｓ））４／ＣＡ４を使用して調製したナノ担体のｉｎ  ｖｉｖｏの体内分布を示す。
【００５２】
【図４３】ＰＥＧ５Ｋ−（Ａｈｘ−（ＮＡｃ−Ｃｙｓ））４／ＣＡ４及びビンブラスチンを負荷したＰＥＧ５Ｋ−（Ａｈｘ−（ＮＡｃ−Ｃｙｓ））４／ＣＡ４を使用してＭＢ４９腫瘍のｉｎ  ｖｉｖｏ治療試験の結果を示し、腫瘍増殖（図４３Ａ）、生存曲線（図４３Ｂ）、及び体重（図４３Ｃ）を示す。
【００５３】
【図４４】ＰＥＧ５Ｋ−（Ａｈｘ−（ＮＡｃ−Ｃｙｓ））４／ＣＡ４及びビンブラスチンを負荷したＰＥＧ５Ｋ−（Ａｈｘ−（ＮＡｃ−Ｃｙｓ））４／ＣＡ４を使用してＢＬ２６９腫瘍のｉｎ  ｖｉｖｏ治療試験の結果を示し、腫瘍増殖（図４４Ａ）、生存曲線（図４４Ｂ）、及び体重（図４４Ｃ）を示す。
【発明の詳細な説明】
【００５４】
Ｉ．概要
本発明は、親水性ポリ（エチレングリコール）（ＰＥＧ）セグメント、デンドリマーセグメント及び複数の末端基Ｒを有する改善されたハイブリッド及び非ハイブリッド並びに架橋性ハイブリッド及び非ハイブリッドテロデンドリマー複合体を提供する。ＰＥＧセグメントは１つ以上のＰＥＧ鎖を含む分岐又は線形構造を有し得る。末端基Ｒの少なくとも一部分（例えば、１／４、１／３、１／２、２／３、３／４又は全て）は、コール酸又はその誘導体であり得る。残りの末端基は有機部分（ＯＭ）である。コール酸又はその誘導体及びＰＥＧは、オリゴマーによって接続され、多様な酸繰り返し単位を含み得るデンドリマーである。一般的に、デンドリマーはジアミノカルボン酸、リジンを含む。テロデンドリマーはまた、架橋性基で官能化し得る。テロデンドリマーは、溶液において凝集体であって、疎水性内部及び親水性外部でミセルを形成することができ、ナノ担体として使用して、低水溶性を有する薬物（例えばタキサン）又はその他の薬剤（例えばイメージング剤）を送達することができる。ミセル形成後、架橋性基を有するテロデンドリマーは、架橋性基を使用して架橋することができ、より多くの安定したミセルを形成する。
【００５５】
ＩＩ．定義
本明細書で使用する場合、「デンドリマー」及び「樹状ポリマー」という用語は、フォーカルポイントを含む分岐ポリマー、複数の分岐モノマー単位及び複数の末端基を指す。モノマーは、一緒に結合して、フォーカルポイントから延びて、末端基で終わるアーム（又は「デンドロン」）を形成する。デンドリマーのフォーカルポイントは、本発明の化合物のその他のセグメントに結合することができ、末端基は、さらに、追加の化学部分で官能化され得る。
【００５６】
本明細書で使用する場合、「テロデンドリマー」という用語は、親水性ＰＥＧセグメント及びデンドリマーの１つ以上の末端基に共有結合する１つ以上の化学部分を含むデンドリマーを指す。これらの部分として、限定されないが、疎水性基、親水性基、両親媒性化合物及び有機部分を挙げることができる。異なる部分は、直交性保護基戦略を使用して、望ましい末端基に選択的に設置することができる。
【００５７】
本明細書で使用する場合、「ナノ担体」という用語は、本発明のデンドリマー複合体の凝集から生じるミセルを指す。ナノ担体は疎水性コア及び親水性外部を有する。
【００５８】
本明細書で使用する場合、「モノマー」及び「モノマー単位」という用語は、ジアミノカルボン酸、ジヒドロキシカルボン酸及びヒドロキシルアミノカルボン酸を指す。本発明のジアミノカルボン酸基の例として、限定されないが、２，３−ジアミノプロパン酸、２，４−ジアミノブタン酸、２，５−ジアミノペンタン酸（オルニチン）、２，６−ジアミノヘキサン酸（リジン）、（２−アミノエチル）−システイン、３−アミノ−２−アミノメチルプロパン酸、３−アミノ−２−アミノメチル−２−メチルプロパン酸、４−アミノ−２−（２−アミノエチル）酪酸及び５−アミノ−２−（３−アミノプロピル）ペンタン酸が挙げられる。本発明のジヒドロキシカルボン酸基の例として、限定されないが、グリセリン酸、２，４−ジヒドロキシ酪酸、グリセリン酸、２，４−ジヒドロキシ酪酸、２，２−ビス（ヒドロキシメチル）プロピオン酸及び２，２−ビス（ヒドロキシメチル）酪酸が挙げられる。ヒドロキシルアミノカルボン酸の例として、限定されないが、セリン及びホモセリンが挙げられる。当業者は、その他のモノマー単位が本発明に有用であることを理解する。
【００５９】
本明細書で使用する場合、「アミノ酸」という用語は、アミン官能基を有するカルボン酸を指す。アミノ酸は、前述のジアミノカルボン酸を含む。アミノ酸は、天然のα−アミノ酸を含み、このアミンは、カルボン酸のカルボニル炭素に隣接する炭素に結合する。天然のα−アミノ酸の例として、限定されないが、Ｌ−アスパラギン酸、Ｌ−グルタミン酸、Ｌ−ヒスチジン、Ｌ−リジン及びＬ−アルギニンが挙げられる。アミノ酸は、天然のα−アミノ酸、並びにβ−アミノ酸及びその他の天然のアミノ酸のＤ−エナンチオマーも含み得る。
【００６０】
本明細書で使用する場合、「オリゴマー」という用語は、前述のように、共に共有結合する５個以下のモノマーを指す。モノマーは、線形又は分岐して共に結合し得る。オリゴマーは、テロデンドリマーの分岐セグメントのフォーカルポイントとして機能し得る。
【００６１】
本明細書で使用する場合、「両親媒性化合物」という用語は、疎水性部分及び親水性部分の両方を有する化合物を指す。例えば、本発明の両親媒性化合物は、化合物の１つの親水面及び化合物の１つの疎水面を有することができる。本発明に有用な両親媒性化合物として、限定されないが、コール酸及びコール酸類似体及び誘導体が挙げられる。
【００６２】
本明細書で使用する場合、「コール酸」という用語は、（Ｒ）−４−（（３Ｒ，５５，７Ｒ，８Ｒ，９５，１０５，１２５，１３Ｒ，１４５，１７Ｒ）−３，７，１２−トリヒドロキシ−１０，１３−ジメチルヘキサデカヒドルプ−１Ｈ−シクロペンタ［ａ］フェナントレン−ｌ７−イル）ペンタン酸を指す。コール酸は、３α，７α，１２α−トリヒドロキシ−５Ｐ−コラン酸、３−ａ，７−ａ，１２−ａ−トリヒドロキシ−５−コラン−２４−酸、１７−β−（１−メチル−３−カルボキシプロピル）エチオコラン−３ａ，７ａ，１２ａ−トリオール、コラル酸、及びコラリンとしても知られている。アロコール酸、ピトコール酸、アビコール酸、デオキシコール酸、及びケノデオキシコール酸等のコール酸誘導体及び類似体も本発明に有用である。コール酸誘導体は、ミセル安定性及び膜活性等のテロデンドリマーから生じるナノ担体の特性を調節するように設計することができる。例えば、コール酸誘導体は、１つ以上のグリセロール基、アミノプロパンジオール基又はその他の基で修飾される親水面を有することができる。
【００６３】
本明細書で使用する場合、「薬物」又は「治療剤」という用語は、病態又は疾患を治療及び／又は改善することができる薬剤を指す。薬物は、疎水性薬物であってもよく、水を忌避する薬物である。本発明に有用な疎水性薬物として、限定されないが、タキサン（例えば、パクリタキセル、ドセタキセル、カバジタキセル、バッカチンＩＩＩ、１０−デアセチルバッカチン、紅豆杉Ａ、紅豆杉Ｂ又は紅豆杉Ｃ）、ドキソルビシン、エトポシド、イリノテカン、ＳＮ−３８、シクロスポリンＡ、ポドフィロトキシン、カルムスチン、アンホテリシン、イクサベピロン、パツピロン（エポチロンクラス）、ラパマイシン及び白金薬物が挙げられる。その他の薬物として、非ステロイド性抗炎症薬並びにビンブラスチン及びビンクリスチン等のビンカアルカロイドが挙げられる。本発明の約物は、プロドラッグ形態も含む。当業者は、その他の薬物が本発明に有用であることを理解する。
【００６４】
本明細書で使用する場合、「架橋性基」又は「架橋基」は、別の分子の類似又は相補的基に結合することができる官能基、例えば、第２樹状ポリマーの第２架橋性基に結合する第１樹状ポリマーの第１架橋性基を指す。本発明の架橋性基及び架橋基に適した基は、デンドリマーの内部に組み込まれるとき、システイン、ボロン酸、及びカテコール等の１，２−ジヒドロキシベンゼンを含む１，２−ジオール等のチオールを含む。本発明の架橋性基及び架橋基として適した基は、デンドリマーの１つ以上の末端基に組み込まれるとき、システイン及びＮ−アセチル−システイン等のチオールを含む。架橋性基及び架橋基を組み合わせるとき、それらは、ジスルフィド及びボロン酸エステル等の架橋結合を形成する。その他の架橋性基及び架橋基は本発明に適している。
【００６５】
本明細書で使用する場合、「結合解裂成分」は、本発明の架橋性基及び架橋基を使用して形成された架橋結合を解裂することができる薬剤を指す。結合解裂成分は、架橋結合がジスルフィドである場合グルタチオン、又は架橋結合がボロン酸及び１，２−ジオールから形成される場合マンニトール等の還元剤であり得る。
【００６６】
本明細書で使用する場合、「イメージング剤」という用語は、身体臓器、組織又は系を画像にすることができる化学物質を指す。例示的なイメージング剤として、常磁性剤、光学プローブ及び放射性核種が挙げられる。
【００６７】
本明細書で使用する場合、「治療」（「ｔｒｅａｔ」、「ｔｒｅａｔｉｎｇ」及び「ｔｒｅａｔｍｅｎｔ」）という用語は、外傷、病理、病態又は症状（例えば、疼痛）の治療又は改善が成功したという兆候を指し、寛解、緩解、症状の消失又は患者により忍容性の症状、外傷、病理又は病態の発生、症状又は病態の頻度又は発症期間の減少、又はいくつの状況において、症状又は病態の発症の予防といった主観的又は客観的パラメータを含む。症状の治療又は改善は、例えば、物理的試験の結果を含む客観的又は主観的パラメータに基づくことができる。
【００６８】
本明細書で使用する場合、「対象」という用語は、限定されないが、霊長類（例えばヒト）、ウシ、ヒツジ、ヤギ、ウマ、イヌ、ネコ、ウサギ、ラット、マウス等を含む哺乳動物といった動物を指す。特定の実施形態において、対象はヒトである。
【００６９】
本明細書で使用する場合、「治療有効量又は用量」又は「治療的に充分な量又は用量」又は「有効又は充分な量又は用量」という用語は、投与した者に治療効果を生み出す用量を指す。厳密な用量は、治療目的に依存し、周知の技術を使用して当業者によって確認される（例えば、Lieberman、Pharmaceutical Dosage Forms （1-3巻、1992）; Lloyd、The Art、Science and Technology of Pharmaceutical Compounding （1999）; Pickar、Dosage Calculations （1999）;及びRemington:The Science and Practice of Pharmacy、20版、2003、Gennaro、版、Lippincott、Williams & Wilkinsを参照のこと）。感作細胞の場合、治療有効量は、非感作細胞の通常の治療有効用量より少ない可能性が多い。
【００７０】
本明細書で使用する場合、「有機部分」、「ＯＭ」という用語は、コール酸又はその誘導体ではない末端基を指し、飽和又は不飽和脂肪酸、飽和又は不飽和カルボン酸、ビタミン又はその代謝物、酵素補因子、抗生物質及び薬物から成る群から選択される。本発明の有機部分末端基は、概して、１００〜２０００ｇ／ｍｏｌ、好ましくは１３０〜５００ｇ／ｍｏｌの分子量を有する。
【００７１】
ＩＩＩ．ハイブリッドテロデンドリマー
本発明は、親水性ポリ（エチレングリコール）（ＰＥＧ）セグメント、デンドリマーセグメント及び複数の末端基Ｒを有する改善されたハイブリッド及び非ハイブリッド並びに架橋性ハイブリッド及び非ハイブリッドテロデンドリマー複合体を提供する。ＰＥＧセグメントは１つ以上のＰＥＧ鎖を含む分岐又は線形構造を有し得る。末端基Ｒの少なくとも一部分（例えば、１／４、１／３、１／２、２／３、３／４又は全て）は、コール酸又はその誘導体であり得る。残りの末端基は有機部分（ＯＭ）である。コール酸又はその誘導体及びＰＥＧは、オリゴマーによって接続され、多様な酸繰り返し単位を含み得るデンドリマーである。一般的に、デンドリマーはジアミノカルボン酸、リジンを含む。テロデンドリマーはまた、架橋性基で官能化し得る。テロデンドリマーは、溶液において凝集体であって、疎水性内部及び親水性外部でミセルを形成することができ、ナノ担体として使用して、低水溶性を有する薬物（例えばタキサン）又はその他の薬剤（例えばイメージング剤）を送達することができる。ミセル形成後、架橋性基を有するテロデンドリマーは、架橋性基を使用して架橋することができ、より多くの安定したミセルを形成する。
【００７２】
いくつかの実施形態において、本発明は、式ＩＩＩの化合物を提供し、
（ＰＥＧ）ｍ−Ａｐ−Ｌ−Ｄ（Ｙ１）ｑ−（Ｒ）ｎ    （ＩＩＩ）
Ａは少なくとも１つのＰＥＧ基に結合し、Ｄは１つのフォーカルポイント基、複数の分岐モノマー単位Ｘ、複数の架橋性基Ｙ１、及び複数の末端基Ｒを有する樹状ポリマーであり、Ｌは樹状ポリマーのフォーカルポイント基に結合した結合又はリンカーであり、ＰＥＧはそれぞれ、ポリエチレングリコール（ＰＥＧ）ポリマーであり、ＰＥＧポリマーはそれぞれ１〜５０ｋＤａの分子量を有し、Ｒはそれぞれ独立してＲ’及びＲ’’から選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質及び薬物から成る群から選択され、Ｒはそれぞれ１００ｇ／ｍｏｌ超及び２０００ｇ／ｍｏｌ未満の分子量を有し、添字ｎは整数８〜２０であり、添字ｎは樹状ポリマーの末端基の数と等しく、Ｙ１はそれぞれ独立して、チオール、ボロン酸、１，２−ジオール又はシステイン基から成る群から選択される架橋性基であり、添字ｍは０〜５の整数であり、添字ｐ及びｑは０又は２〜１０である。
【００７３】
いくつかの実施形態において、本発明は、式ＩＩＩａの化合物を提供する。
（ＰＥＧ）ｍ−Ｌ−Ｄ（Ｙ１）ｑ−（Ｒ）ｎ  （ＩＩＩａ）
【００７４】
いくつかの実施形態において、化合物は以下の構造を有し、
【化２】
2019533038.tif 000004
Ｌ’及びＬ”のそれぞれは独立して、結合又はリンカーＥｂｅｓ、アミノカプロン酸、５−アミノペンタン酸、４−アミノブタン酸、β−アラニン又はコハク酸であり、ＰＥＧは１〜５０ｋＤａの分子量を有し、Ｒ’はそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）（３α，５β，７α，１２α）−７−ヒドロキシ−３，１２−ジ（２，３−ジヒドロキシ−１−プロポキシ）−コール酸（ＣＡ−５ＯＨ）及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択され、Ｒ’’はそれぞれ独立して、飽和又は不飽和脂肪酸、飽和又は不飽和カルボン酸、ビタミン又はその代謝物、酵素補因子、抗生物質及び薬物から成る群から選択され、分岐モノマー単位Ｘはそれぞれリジンであり、Ｙ１はそれぞれ存在しない、又はチオール、ボロン酸、１，２−ジオール若しくはシステインである。
【００７５】
いくつかの実施形態において、Ｌ’はそれぞれ独立して、結合又はアミノカプロン酸、５−アミノペンタン酸、４−アミノブタン酸、β−アラニン又はコハク酸であり、Ｌ”はそれぞれ独立して結合又はリンカーＥｂｅｓであり、ＰＥＧは１〜５０ｋＤａの分子量を有し、Ｒ’はそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択され、Ｒ’’はそれぞれ独立して、飽和又は不飽和脂肪酸、飽和又は不飽和カルボン酸、ビタミン又はその代謝物、酵素補因子、抗生物質及び薬物から成る群から選択され、分岐モノマー単位Ｘはそれぞれリジンであり、Ｙ１はそれぞれ存在しない、又はチオール、ボロン酸、１，２−ジオール若しくはシステインである。
【００７６】
いくつかの実施形態において、Ｌ’は結合、Ｌ”は結合である。いくつかの実施形態において、Ｌ’は結合、Ｌ”はＥｂｅｓである。いくつかの実施形態において、Ｌ’はアミノカプロン酸、５−アミノペンタン酸、４−アミノブタン酸、β−アラニン又はコハク酸であり、Ｌ”は結合である。いくつかの実施形態において、Ｌ’はコハク酸、Ｌ”は結合である。いくつかの実施形態において、Ｌ’はアミノカプロン酸、５−アミノペンタン酸、４−アミノブタン酸、β−アラニン又はコハク酸であり、Ｌ”はＥｂｅｓである。いくつかの実施形態において、Ｌ’はコハク酸、Ｌ”はＥｂｅｓである。
【００７７】
いくつかの実施形態において、Ｙ１はそれぞれ結合である。いくつかの実施形態において、Ｙ１はそれぞれチオール、ボロン酸、１，２−ジオール又はシステインである。いくつかの実施形態において、Ｙ１はそれぞれシステインである。
【００７８】
いくつかの実施形態において、Ｌ”はそれぞれ結合、Ｙ１はそれぞれ結合である。いくつかの実施形態において、Ｌ”はそれぞれＥｂｅｓ、Ｙ１はそれぞれ結合である。いくつかの実施形態において、Ｌ”はそれぞれ結合、Ｙ１はそれぞれシステインである。いくつかの実施形態において、Ｌ”はそれぞれＥｂｅｓ、Ｙ１はそれぞれシステインである。
【００７９】
いくつかの実施形態において、Ｌ’はそれぞれ結合、Ｌ”はそれぞれ結合、Ｙ１はそれぞれ結合である。いくつかの実施形態において、Ｌ’はそれぞれコハク酸、Ｌ”はそれぞれ結合、Ｙ１はそれぞれ結合である。いくつかの実施形態において、Ｌ’はそれぞれ結合、Ｌ”はそれぞれＥｂｅｓ、Ｙ１はそれぞれシステインである。いくつかの実施形態において、Ｌ’はそれぞれコハク酸、Ｌ”はそれぞれＥｂｅｓ、Ｙ１はそれぞれシステインである。
【００８０】
本発明のそれぞれの実施形態において、Ｒ’はそれぞれコール酸、ＣＡ−４ＯＨ、ＣＡ−５ＯＨ又はＣＡ−３ＯＨ−ＮＨ２であり、Ｒ’’はそれぞれビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、及びコレカルシフェロールから成る群から選択される。
【００８１】
本発明のそれぞれの実施形態において、Ｒ’はコール酸であり得る。
【００８２】
いくつかの実施形態において、化合物は以下の構造を有し、
【化３】
2019533038.tif 000005
Ｌ”はそれぞれ独立して結合又はリンカーＥｂｅｓであり、ＰＥＧは１〜５０ｋＤａの分子量を有し、Ｒ’はそれぞれコール酸であり、Ｒ’’はそれぞれ桂皮酸及びリノール酸から成る群から選択され、分岐モノマー単位Ｘはそれぞれリジンであり、Ｙ１はそれぞれシステインである。
【００８３】
Ａ．有機部分ハイブリッド
本発明は、デンドリマー周縁にコール酸基及びその他の有機部分（ＯＭ）を含むテロデンドリマーと呼ばれるＰＥＧ化デンドリマーを提供する。いくつかの実施形態において、本発明は、式Ｉの化合物を提供し、
（ＰＥＧ）ｍ−Ｌ−Ｄ−（Ｒ）ｎ     （Ｉ）
式ＩのラジカルＤは、１つのフォーカルポイント基、複数の分岐モノマー単位Ｘ及び複数の末端基Ｒを有する樹状ポリマーである。式ＩのラジカルＬは、樹状ポリマーのフォーカルポイント基に結合される結合又はリンカーである。式ＩのＰＥＧはそれぞれ、ポリエチレングリコール（ＰＥＧ）ポリマーであり、ＰＥＧポリマーはそれぞれ１〜５０ｋＤａの分子量を有する。式ＩのＲはそれぞれ１００ｇ／ｍｏｌ超及び２０００ｇ／ｍｏｌ未満の分子量を有する。また、Ｒはそれぞれ独立して、結合を介して直接的又はリンカーＬ’を介して間接的に樹状ポリマーのモノマーＸに結合する。Ｒはそれぞれ、末端基Ｒ’及び末端基Ｒ’’から独立して選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質、又は薬物である。式Ｉの添字ｍは０〜５の整数である。式Ｉの添字ｎは８〜２０の整数であり、添字ｎは樹状ポリマーの末端基の数と等しい。いくつかの実施形態において、Ｒ基の数ｎの少なくとも４分の１（例えば、１／４、１／３、１／２、２／３、３／４又は全て）はＲ’である。いくつかの実施形態において、Ｒ基の数ｎの少なくとも４分の１（例えば、１／４、１／３、１／２、２／３、３／４又は全て）はＲ’’である。
【００８４】
樹状ポリマーは適した樹状ポリマーであり得る。樹状ポリマーは、アミノ酸又はその他の二官能性ＡＢ２型モノマーを含む分岐モノマー単位から作られ、Ａ及びＢは、共に反応することができる２つの異なる官能基であり、結果として生じるポリマー鎖は、Ａ−Ｂ結合が形成される分岐ポイントを有する。いくつかの実施形態において、分岐モノマー単位Ｘは、ジアミノカルボン酸、ジヒドロキシカルボン酸及びヒドロキシルアミノカルボン酸であり得る。いくつかの実施形態において、ジアミノカルボン酸基はそれぞれ、２，３−ジアミノプロパン酸、２，４−ジアミノブタン酸、２，５−ジアミノペンタン酸（オルニチン）、２，６−ジアミノヘキサン酸（リジン）、（２−アミノエチル）−システイン、３−アミノ−２−アミノメチルプロパン酸、３−アミノ−２−アミノメチル−２−メチルプロパン酸、４−アミノ−２−（２−アミノエチル）酪酸又は５−アミノ−２−（３−アミノプロピル）ペンタン酸であり得る。いくつかの実施形態において、ジヒドロキシカルボン酸はそれぞれグリセリン酸、２，４−ジヒドロキシ酪酸、２，２−ビス（ヒドロキシメチル）プロピオン酸、２，２−ビス（ヒドロキシメチル）酪酸、セリン又はスレオニンであり得る。いくつかの実施形態において、ヒドロキシルアミノカルボン酸はそれぞれセリン又はホモセリンであり得る。いくつかの実施形態において、ジアミノカルボン酸はアミノ酸である。いくつかの実施形態において、分岐モノマー単位Ｘはそれぞれリジンである。
【００８５】
テロデンドリマーの樹状ポリマーは、デンドリマーの適した生成であり得、１、２、３、４、５個以上の生成を含み、デンドリマーの「生成」はそれぞれフォーカルポイントとデンドリマーの１つの分岐に続く末端基の間で出合った分岐点の数を指す。テロデンドリマーの樹状ポリマーは、また、１．５、２．５、３．５、４．５、５．５といった部分生成も含み、デンドリマーの分岐点は、たった１つの分岐しか有しない。樹状ポリマーの様々な構造は、限定されないが、２、３、４、５、６、７、８、９、１０、１１、１２、１３、１４、１５、１６、１７、１８、１９、２０、２１、２２、２３、２４、２５、２６、２７、２８、２９、３０、３１又は３２個の末端基を含む適切な数の末端基を提供し得る。
【００８６】
テロデンドリマーのフォーカルポイント又はテロデンドリマーセグメントは、適切な官能基であり得る。いくつかの実施形態において、フォーカルポイントは、テロデンドリマー又はテロデンドリマーセグメントを別のセグメントに結合することができる官能基を含む。フォーカルポイント官能基は、限定されないが、アルコール、アミン、チオール又はヒドラジンを含む求核性基であり得る。フォーカルポイント官能基は、アルデヒド、カルボン酸、又は酸塩化物又はＮ−ヒドロキシスクシンイミジルエステルを含むカルボン酸誘導体等の求電子試薬でもあり得る。
【００８７】
テロデンドリマー周縁に設置されたＲ基は、親水性基、疎水性基又は両親媒性化合物を含む適切な化学部分であり得る。疎水性基の例として、限定されないが、長鎖アルカン、飽和又は不飽和脂肪酸、フルオロカーボン、シリコーン、コレステロール等の特定のステロイド、並びにポリスチレン及びポリイソプレンを含む多くのポリマーが挙げられる。親水性基の例として、限定されないが、アルコール類、短鎖カルボン酸、アミン、スルホン酸塩、リン酸塩、糖類、及びＰＥＧ等の特定のポリマーが挙げられる。両親媒性化合物の例として、限定されないが、１つの親水面と１つの疎水面を有する分子が挙げられる。
【００８８】
本発明に有用な両親媒性化合物として、限定されないが、コール酸及びコール酸類似体及び誘導体が挙げられる。「コール酸」は、以下の構造を有する（Ｒ）−４−（（３Ｒ，５Ｓ，７Ｒ，８Ｒ，９Ｓ，１０Ｓ，１２Ｓ，１３Ｒ，１４Ｓ，１７Ｒ）−３，７，１２−トリヒドロキシ−１０，１３−ジメチルヘキサデカヒドロ−１Ｈ−シクロペンタ［ａ］フェナントレン−１７−イル）ペンタン酸を指す。
【化４】
2019533038.tif 000006
【００８９】
コール酸誘導体及び類似体として、限定されないが、アロコール酸、ピトコール酸、アビコール酸、デオキシコール酸、及びケノデオキシコール酸が挙げられる。コール酸誘導体は、ミセル安定性及び膜活性等のテロデンドリマーから生じるナノ担体の特性を調節するように設計することができる。例えば、コール酸誘導体は、１つ以上のグリセロール基、アミノプロパンジオール基又はその他の基で修飾される親水面を有することができる。
【００９０】
テロデンドリマー末端基は、アミノカプロン酸等の薬物も含み得る。当業者は、その他の薬物が本発明に有用であることを理解する。テロデンドリマー末端基は、また、飽和又は不飽和カルボン酸、ビタミン、酵素補因子及び代謝物も含み得る。
【００９１】
いくつかの実施形態において、Ｒ’はそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）、（３α，５β，７α，１２α）−７，１２−ジヒドロキシ−３−（３−アミノ−２−ヒドロキシ−１−プロポキシ）−コール酸（ＣＡ−３ＯＨ−ＮＨ２）であり得る。
【００９２】
テロデンドリマー骨格は、分岐数並びに末端基及びＲ基の数及び化学的性質に依存して変化し得、溶液の構造、レオロジー特性及びその他の特徴を調整する。テロデンドリマーは、末端基の適切な数ｎ及び適切な数のＲ基を有し得る。いくつかの実施形態において、ｎは２〜７０、又は２〜５０、又は２〜３０、又は２〜１０であり得る。添字ｎは約２、３、４、５、６、７、８、９、１０、１５、又は２０であり得る。いくつかの実施形態において、添字ｎは２〜１０、２〜８、４〜１０又は４〜８であり得る。いくつかの実施形態において、ｎは４〜２０又は８〜１０である。いくつかの実施形態において、ｎは８〜２０である。いくつかの実施形態において、ｎは８である。
【００９３】
いくつかの実施形態において、各Ｒ’基は同じである。同様に、いくつかの実施形態において、各Ｒ’’基は同じである。いくつかの実施形態において、２つの異なる両親媒性基等の少なくとも２つの異なるＲ’基が存在する。いくつかの実施形態において、少なくとも２つのＲ’’基が、不飽和カルボン酸（桂皮酸）及び飽和脂肪酸（ラウリン酸）というように存在する。
【００９４】
リンカーＬは適切なリンカーを含み得る。概して、リンカーは二官能性リンカーであり、２つのテロデンドリマーセグメントのそれぞれと反応するために、２つの官能性基を有する。いくつかの実施形態において、リンカーは、ヘテロ二官能性リンカーであり得る。いくつかの実施形態において、リンカーは、ホモ二官能性リンカーであり得る。いくつかの実施形態において、リンカーＬは、ポリエチレングリコール、ポリセリン、ポリグリシン、ポリ（セリン−グリシン）、脂肪族アミノ酸類、６−アミノヘキサン酸、５−アミノペンタン酸、４−アミノブタン酸又はベータ−アラニンであり得る。当業者は、リンカーのサイズ及び化学的性質が、結合されるテロデンドリマーセグメントの構造に基づいて変化し得ることを理解する。
【００９５】
いくつかの実施形態において、リンカーＬは以下の式を有するＥｂｅｓリンカーである。
【化５】
2019533038.tif 000007
【００９６】
任意のサイズと構造のポリエチレングリコール（ＰＥＧ）は、本発明のナノ担体に有用である。いくつかの実施形態において、ＰＥＧは１〜１００ｋＤａである。他の実施形態において、ＰＥＧは１〜１０ｋＤａである。いくつかの実施形態において、ＰＥＧは約５ｋＤａである。さらに他の実施形態において、追加のＰＥＧポリマーが両親媒性化合物に結合する。例えば、両親媒性化合物がコール酸である場合、最大３個のＰＥＧポリマーがそれぞれのコール酸に結合する。両親媒性化合物に結合するＰＥＧポリマーは、２００〜１０，０００Ｄａのサイズである。他の実施形態において、両親媒性化合物に結合するＰＥＧポリマーは、１〜５ｋＤａのサイズである。当業者は、その他のＰＥＧポリマー及び親水性ポリマーが本発明に有用であることを理解する。ＰＥＧは適した長さであり得る。
【００９７】
適切な数のＰＥＧ基が存在し得る。例えば、添字ｍは０、１、２、３、４、５、１０、１５、又は２０であり得る。添字ｍは０〜５、０〜４、０〜３、０〜２、１〜５、１〜４又は１〜３でもあり得る。いくつかの実施形態において、添字ｍは１である。
【００９８】
いくつかの実施形態において、式Ｉの化合物は以下の構造を有し、
【化６】
2019533038.tif 000008
Ｒ’は疎水面及び親水面を有する両親媒性化合物であり、Ｒ’’は飽和又は不飽和脂肪酸、飽和又は不飽和カルボン酸、ビタミン又はその代謝物、酵素補因子、抗生物質、又は薬物である。いくつかの場合において、分岐モノマー単位Ｘはそれぞれリジンである。いくつかの場合において、疎水面及び親水面を有する両親媒性化合物（Ｒ’）はそれぞれ独立して、コール酸（ＣＡ）、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）、及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択される。
【００９９】
いくつかの実施形態において、式Ｉの化合物は以下の構造を有し、
【化７】
2019533038.tif 000009
Ｘはそれぞれリジンであり、ＰＥＧはＰＥＧ５ｋであり、Ｒ’はコール酸、ＣＡ−４ＯＨ、ＣＡ−５ＯＨ、又はＣＡ−３ＯＨ−ＮＨ２であり、Ｒ’’はそれぞれビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、コレカルシフェロール、及び非ステロイド性抗炎症薬から成る群から選択される。
【０１００】
本発明に有用な非ステロイド性抗炎症薬（ＮＳＡＩＤ）は、周知のＮＳＡＩＤを含む。代表的なＮＳＡＩＤとして、限定されないが、エトドラク、インドメタシン、ナプロキセン、オキサプロジン、スリンダク、アセチルサリチル酸、ジフルニサル、サリチル酸、サルサラート、イブプロフェン、デクスイブプロフェン、フェノプロフェン、ケトプロフェン、デクスケトプロフェン、フルルビプロフェン、オキサプロジン、ロキソプロフェン、トルメチン、ケトロラク、ジクロフェナク、アセクロフェナク、メフェナム酸、メクロフェナム酸、フルフェナム酸、トルフェナム酸等が挙げられる。いくつかの実施形態において、ＮＳＡＩＤは、エトドラク、インドメタシン、ナプロキセン、オキサプロジン、スリンダク、アセチルサリチル酸、フィフルニサル（ｆｉｆｌｕｎｉｓａｌ）、サリチル酸、サルサラート、イブプロフェン、デクスイブプロフェン、フェノプロフェン、ケトプロフェン、デクスケトプロフェン、フルルビプロフェン、オキサプロジン、ロキソプロフェン、トルメチン、ケトロラク、ジクロフェナク、又はアセクロフェナクであり得る。いくつかの実施形態において、ＮＳＡＩＤは、エトドラク、インドメタシン、ナプロキセン、オキサプロジン又はスリンダクであり得る。
【０１０１】
いくつかの実施形態において、式Ｉの化合物は以下の構造を有し、
【化８】
2019533038.tif 000010
分岐モノマー単位Ｘはそれぞれリジンであり、Ｌ’はそれぞれ結合又はリンカーである。いくつかの実施形態において、Ｌ’はそれぞれ、リンカーＥｂｅｓ又はコハク酸である。いくつかの実施形態において、Ｌ’はそれぞれリンカーＥｂｅｓである。いくつかの実施形態において、Ｌ’はそれぞれコハク酸である。いくつかの場合において、Ｌ’がコハク酸である場合、Ｒ’’はカルボン酸基を欠いている有機部分（ＯＭ）、又はヒドロキシル若しくはアミン基を有するＯＭである。いくつかの場合において、Ｌ’はコハク酸であり、Ｒ’’はリボフラビン、ピリドキシン及びコレカルシフェロールから成る群から独立して選択される有機部分（ＯＭ）である。いくつかの場合において、Ｌ’は結合又はリンカーＥｂｅｓであり、Ｒ’’はビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、及びアミノカプロン酸から成る群から独立して選択される有機部分（ＯＭ）である。いくつかの場合において、Ｌ’は結合又はリンカーＥｂｅｓであり、Ｒ’’は薬物である。
【０１０２】
いくつかの実施形態において、式Ｉの化合物は以下の構造を有し、
【化９】
2019533038.tif 000011
Ｘはそれぞれリジンであり、ＰＥＧはＰＥＧ５ｋであり、Ｒ’はそれぞれコール酸、ＣＡ−４ＯＨ、ＣＡ−５ＯＨ、又はＣＡ−３ＯＨ−ＮＨ２であり、Ｒ’’はそれぞれビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、及びコレカルシフェロールから成る群から選択される。
【０１０３】
いくつかの実施形態において、式Ｉの化合物は以下の構造を有し、
【化１０】
2019533038.tif 000012
Ｘはそれぞれリジンであり、ＰＥＧはＰＥＧ５ｋであり、Ｒ’はそれぞれコール酸であり、Ｒ’’はそれぞれ、エトドラク、インドメタシン、ナプロキセン、オキサプロジン、及びスリンダクから成る群から選択される。
【０１０４】
いくつかの実施形態において、本発明は表Ａのテロデンドリマーを１つ以上、及び／又は表Ａのテロデンドリマーを１つ以上、又は少なくとも２つ含むナノ担体を提供する。
【表Ａ】
2019533038.tif 000013
【０１０５】
Ｂ．表面架橋性ハイブリッド
いくつかの実施形態において、本発明は様々な架橋性テロデンドリマーを提供する。架橋性テロデンドリマーは、それぞれのミセルナノ担体が少なくとも２つの架橋性テロデンドリマー分子を含むように、様々なナノ担体に組み込むことができる。架橋性テロデンドリマーの架橋性基は、その後、架橋結合して、ナノ担体の安定性を増加することができる。いくつかの場合において、架橋結合は可逆的架橋結合であり、そのため、可逆的に架橋結合したナノ担体を提供する。例えば、架橋結合はジスルフィド結合であり、ナノ担体の架橋結合は、還元剤で還元され得る。
【０１０６】
本発明の化合物に適した架橋性基は、架橋性基を含み、別のテロデンドリマーの同官能基、又は別のテロデンドリマーの相補的官能基と共有結合を形成することができる。同官能基と共有結合を形成することができる官能基は、チオールを含む。本発明の化合物に有用なチオールとして、システイン等のチオールを含む。いくつかの場合において、チオールがテロデンドリマーの末端基である場合、チオールはＮ‐アセチルシステインであり得る。
【０１０７】
Ｙ１又はＹ２架橋性基として有用であり、共有結合を形成することができる相補的官能基は、前述のチオールを１つ以上含む。あるいは、Ｙ１又はＹ２架橋性基として有用であり、共有結合を形成することができる相補的官能基は、ボロン酸及び１，２−ジオールを含む。本発明の化合物に有用なボロン酸として、限定されないが、フェニルボロン酸、２−チエニルボロン酸、メチルボロン酸、及びプロペニルボロン酸が挙げられる。適切な１，２−ジオールとして、カテコール等のアルキル−１，２−ジオール及びフェニル−１，２−ジオールが挙げられる。
【０１０８】
いくつかの実施形態において、架橋性基Ｙ１及びＹ２はそれぞれボロン酸、ジヒドロキシベンゼン、又はチオールであり得る。いくつかの実施形態において、架橋性基Ｙ１及びＹ２はそれぞれボロン酸又はジヒドロキシベンゼンであり得る。いくつかの実施形態において、架橋性基Ｙ１及びＹ２はそれぞれフェニルボロン酸又はジヒドロキシベンゼンであり得る。いくつかの実施形態において、架橋性基Ｙ１はそれぞれフェニルボロン酸又はジヒドロキシベンゼンであり得る。いくつかの実施形態において、架橋性基Ｙ１はそれぞれカルボキシフェニルボロン酸、カルボキシニトロフェニルボロン酸又は３，４−ジヒドロキシ安息香酸であり得る。いくつかの実施形態において、架橋性基Ｙ１及びＹ２はそれぞれチオールであり得る。いくつかの実施形態において、架橋性基Ｙ１及びＹ２はそれぞれシステインであり得る。いくつかの実施形態において、架橋性基Ｙ２はそれぞれシステインであり得る。
【０１０９】
いくつかの実施形態において、本発明は以下の式の化合物を提供し、
【化１１】
2019533038.tif 000014
Ｘは分岐モノマー単位であり、Ｌは結合又はリンカーであり、ＰＥＧはそれぞれポリエチレングリコール（ＰＥＧ）ポリマーであり、ＰＥＧポリマーはそれぞれ１〜５０ｋＤａの分子量を有し、Ｒ’はそれぞれ独立して疎水面及び親水面を有する両親媒性化合物であり、Ｒ’はそれぞれ独立して結合又はリンカーを介して異なる分岐モノマー単位Ｘに結合し、Ｒ’’はそれぞれ独立してチオール、システイン、及びＮ‐アセチルシステインから成る群から選択される架橋性基であり、架橋性基はそれぞれ独立して結合又はリンカーを介して異なる分岐モノマー単位Ｘに結合する。
【０１１０】
いくつかの実施形態において、本発明は以下の式の化合物を提供し、
【化１２】
2019533038.tif 000015
Ｘは分岐モノマー単位であり、Ｌは結合又はリンカーであり、Ｌ’は結合又はリンカーであり、ＰＥＧはそれぞれポリエチレングリコール（ＰＥＧ）ポリマーであり、ＰＥＧポリマーはそれぞれ１〜５０ｋＤａの分子量を有し、Ｒ’はそれぞれ独立して疎水面及び親水面を有する両親媒性化合物であり、Ｒ’はそれぞれ独立して結合又はリンカーを介して異なる分岐モノマー単位Ｘに結合し、Ｒ’’はそれぞれ独立してチオール、システイン、及びＮ‐アセチルシステインから成る群から選択される架橋性基であり、架橋性基はそれぞれ独立して結合又はリンカーを介して異なる分岐モノマー単位Ｘに結合する。いくつかの実施形態において、リンカーＬ’は、Ｅｂｅｓ、アミノカプロン酸、５−アミノペンタン酸、４−アミノブタン酸又はβ−アラニンであり得る。いくつかの実施形態において、リンカーＬ’は、アミノカプロン酸、５−アミノペンタン酸、４−アミノブタン酸又はβ−アラニンであり得る。いくつかの実施形態において、リンカーＬ’は、アミノカプロン酸であり得る。いくつかの実施形態において、リンカーＬ’は、６−アミノヘキサン酸（Ａｈｘ）であり得る。
【０１１１】
いくつかの実施形態において、Ｒ’’はそれぞれ独立してリンカーＥｂｅｓ、アミノカプロン酸、５−アミノペンタン酸、４−アミノブタン酸又はβ−アラニンを介して異なる分岐モノマー単位Ｘに結合される。いくつかの実施形態において、Ｒ’はそれぞれ独立してリンカーＥｂｅｓ、アミノカプロン酸、５−アミノペンタン酸、４−アミノブタン酸又はβ−アラニンを介して異なる分岐モノマー単位Ｘに結合される。いくつかの実施形態において、Ｒ’はそれぞれ独立してリンカーを介して異なる分岐モノマー単位に結合し、Ｒ’’はそれぞれ独立してリンカーを介して異なる分岐モノマー単位に結合し、リンカーはそれぞれ独立してＥｂｅｓ、アミノカプロン酸、５−アミノペンタン酸、４−アミノブタン酸、４−アミノブタン酸又はβ−アラニンから成る群から選択される。
【０１１２】
いくつかの実施形態において、分岐モノマー単位Ｘはそれぞれ独立してジアミノカルボン酸、ジヒドロキシカルボン酸及びヒドロキシルアミノカルボン酸から成る群から選択される。いくつかの実施形態において、ジアミノカルボン酸は、それぞれ独立して２，３−ジアミノプロパン酸、２，４−ジアミノブタン酸、２，５−ジアミノペンタン酸（オルニチン）、２，６−ジアミノヘキサン酸（リジン）、（２−アミノエチル）−システイン、３−アミノ−２−アミノメチルプロパン酸、３−アミノ−２−アミノメチル−２−メチルプロパン酸、４−アミノ−２−（２−アミノエチル）酪酸及び５−アミノ−２−（３−アミノプロピル）ペンタン酸から成る群から選択される。いくつかの実施形態において、ジヒドロキシカルボン酸はそれぞれ独立してグリセリン酸、２，４−ジヒドロキシ酪酸、２，２−ビス（ヒドロキシメチル）プロピオン酸、及び２，２−ビス（ヒドロキシメチル）酪酸から成る群から選択される。いくつかの実施形態において、ヒドロキシルアミノカルボン酸はそれぞれ独立して、セリン、スレオニン、及びホモセリンから成る群から選択される。いくつかの実施形態において、ジアミノカルボン酸はアミノ酸である。いくつかの実施形態において、分岐モノマー単位Ｘはそれぞれリジンである。
【０１１３】
いくつかの実施形態において、Ｒ’はそれぞれ独立して、コール酸、（３α，５β，７α，１２α）−７，１２−ジヒドロキシ−３−（２，３−ジヒドロキシ−１−プロポキシ）−コール酸、（３α，５β，７α，１２α）−７−ヒドロキシ−３，１２−ジ（２，３−ジヒドロキシ−１−プロポキシ）コール酸、及び（３α，５β，７α，１２α）−７，１２−ジヒドロキシ−３−（３−アミノ−２−ヒドロキシ−１−プロポキシ）−コール酸から成る群から選択される。いくつかの実施形態において、各Ｒ’はコール酸である。いくつかの実施形態において、ＰＥＧは１〜５０ｋＤａである。他の実施形態において、ＰＥＧは１〜１０ｋＤａである。いくつかの実施形態において、ＰＥＧは５ｋＤａ又は約５ｋＤａである。
【０１１４】
いくつかの実施形態において、化合物は以下の構造を有し、
【化１３】
2019533038.tif 000016
ＰＥＧはＰＥＧ５ｋであり、Ｘはリジンであり、Ｒ’はコール酸であり、Ｒ’’はシステイン又はＮ−アセチルシステインであり、Ｒ’’は、アミノカプロン酸、５−アミノペンタン酸、４−アミノブタン酸及びβ−アラニンから成る群から選択されるリンカーを介して対応するモノマーＸに結合する。
【０１１５】
いくつかの実施形態において、化合物は以下の構造を有し、
【化１４】
2019533038.tif 000017
分岐モノマー単位Ｘはそれぞれリジンであり、Ｌは結合又はリンカーであり、リンカーＬ’は６−アミノヘキサン酸であり、ＰＥＧはＰＥＧ５ｋであり、Ｒ’はそれぞれコール酸であり、Ｒ’’はそれぞれＮ−アセチルシステインである。
【０１１６】
いくつかの実施形態において、本発明は表Ｂの架橋性テロデンドリマーを１つ以上、及び／又は表Ｂの架橋性テロデンドリマーを１つ以上、又は少なくとも２つ含むナノ担体を提供する。
【表Ｂ】
2019533038.tif 000018
【０１１７】
Ａ．架橋性有機部分ハイブリッド
いくつかの実施形態において、本発明は、式ＩＩの化合物を提供し、
（ＰＥＧ）ｍ−Ａｐ−Ｌ−Ｄ（Ｙ１）ｑ−（Ｒ）ｎ  （ＩＩ）
Ａは少なくとも１つのＰＥＧ基に結合し、Ｄは１つのフォーカルポイント基、複数の分岐モノマー単位Ｘ、複数の架橋性基Ｙ１、及び複数の末端基Ｒを有する樹状ポリマーであり、Ｌは樹状ポリマーのフォーカルポイント基に結合した結合又はリンカーであり、ＰＥＧはそれぞれ、ポリエチレングリコール（ＰＥＧ）ポリマーであり、ＰＥＧポリマーはそれぞれ１〜５０ｋＤａの分子量を有し、Ｒはそれぞれ、１００ｇ／ｍｏｌ超及び２０００ｇ／ｍｏｌ未満の分子量を有し、Ｒはそれぞれ独立してＲ’及びＲ’’から選択され、Ｒ’はそれぞれ独立して疎水面及び親水面を有する両親媒性化合物であり、Ｒ’’はそれぞれ独立して飽和又は不飽和脂肪酸、飽和又は不飽和カルボン酸、ビタミン又はその代謝物、酵素補因子、抗生物質及び薬物から成る群から選択され、添字ｎは整数８〜２０であり、添字ｎは樹状ポリマーの末端基の数と等しく、Ｙ１はそれぞれ独立して、チオール、ボロン酸、１，２−ジオール又はシステイン基から成る群から選択される架橋性基であり、添字ｍは０〜５の整数であり、添字ｐ及びｑは０又は２〜１０であり、添字ｐ及びｑの１つは２〜１０である。いくつかの実施形態において、Ｒ基の数ｎの少なくとも４分の１（例えば、１／４、１／３、１／２、２／３、３／４又は全て）はＲ’である。いくつかの実施形態において、Ｒ基の数ｎの少なくとも４分の１（例えば、１／４、１／３、１／２、２／３、３／４又は全て）はＲ’’である。
【０１１８】
いくつかの実施形態において、分岐モノマー単位Ｘはそれぞれ独立してジアミノカルボン酸、ジヒドロキシカルボン酸及びヒドロキシルアミノカルボン酸から成る群から選択される。いくつかの実施形態において、分岐モノマー単位Ｘはそれぞれリジンである。いくつかの実施形態において、ジアミノカルボン酸は、それぞれ独立して２，３−ジアミノプロパン酸、２，４−ジアミノブタン酸、２，５−ジアミノペンタン酸（オルニチン）、２，６−ジアミノヘキサン酸（リジン）、（２−アミノエチル）−システイン、３−アミノ−２−アミノメチルプロパン酸、３−アミノ−２−アミノメチル−２−メチルプロパン酸、４−アミノ−２−（２−アミノエチル）酪酸及び５−アミノ−２−（３−アミノプロピル）ペンタン酸から成る群から選択される。いくつかの実施形態において、ジヒドロキシカルボン酸はそれぞれ独立してグリセリン酸、２，４−ジヒドロキシ酪酸、２，２−ビス（ヒドロキシメチル）プロピオン酸、及び２，２−ビス（ヒドロキシメチル）酪酸から成る群から選択される。いくつかの実施形態において、ヒドロキシルアミノカルボン酸はそれぞれ独立して、セリン、スレオニン、及びホモセリンから成る群から選択される。いくつかの実施形態において、ジアミノカルボン酸はアミノ酸である。
【０１１９】
いくつかの実施形態において、Ｒ’はそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）、及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択される。いくつかの実施形態において、各Ｒ’はコール酸である。
【０１２０】
いくつかの実施形態において、リンカーＬはポリエチレングリコール、ポリセリン、ポリグリシン、ポリ（セリン−グリシン）、脂肪族アミノ酸類、６−アミノヘキサン酸、５−アミノペンタン酸、４−アミノブタン酸及びベータ−アラニンから成る群から選択される。いくつかの実施形態において、リンカーＬは以下の式を有するＥｂｅｓリンカーである。
【化１５】
2019533038.tif 000019
【０１２１】
いくつかの実施形態において、式ＩＩの化合物は式ＩＩｂの化合物であり、
ＰＥＧ−Ｄ（Ｙ１）ｑ−（Ｒ）ｎ  （ＩＩｂ）
添字ｑは２〜１０の整数である。
【０１２２】
いくつかの実施形態において、化合物は以下の構造を有し、
【化１６】
2019533038.tif 000020
Ａはリジンのモノマー又はオリゴマーであるか又は存在せず、Ｌ’のそれぞれは独立して、結合又はリンカーＥｂｅｓ、アミノカプロン酸、５−アミノペンタン酸、４−アミノブタン酸、β−アラニン又はコハク酸であり、ＰＥＧは１〜５０ｋＤａの分子量を有し、Ｒ’はそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択され、Ｒ’’はそれぞれ独立して、飽和又は不飽和脂肪酸、飽和又は不飽和カルボン酸、ビタミン又はその代謝物、酵素補因子、抗生物質及び薬物から成る群から選択され、分岐モノマー単位Ｘはそれぞれジアミノカルボン酸であり、Ｙ１はそれぞれチオール、ボロン酸、１，２−ジオール又はシステインである。
【０１２３】
いくつかの実施形態において、化合物は以下の構造を有し、
【化１７】
2019533038.tif 000021
Ｌ’及びＬ”はそれぞれ独立して、結合又はリンカーＥｂｅｓ、アミノカプロン酸、５−アミノペンタン酸、４−アミノブタン酸、β−アラニン又はコハク酸であり、ＰＥＧは１〜５０ｋＤａの分子量を有し、Ｒ’はそれぞれ独立して、コール酸、（３α，５β，７α，１２α）−７，１２−ジヒドロキシ−３−（２，３−ジヒドロキシ−１−プロポキシ）−コール酸（ＣＡ−４ＯＨ）、（３α，５β，７α，１２α）−７−ヒドロキシ−３，１２−ジ（２，３−ジヒドロキシ−１−プロポキシ）−コール酸（ＣＡ−５ＯＨ）及び（３α，５β，７α，１２α）−７，１２−ジヒドロキシ−３−（３−アミノ−２−ヒドロキシ−１−プロポキシ）−コール酸（ＣＡ−３ＯＨ−ＮＨ２）から成る群から選択され、Ｒ’’はそれぞれ独立して、飽和又は不飽和脂肪酸、飽和又は不飽和カルボン酸、ビタミン又はその代謝物、酵素補因子、抗生物質及び薬物から成る群から選択され、分岐モノマー単位Ｘはそれぞれジアミノカルボン酸であり、Ｙ１はそれぞれチオール、ボロン酸、１，２−ジオール又はシステインである。
【０１２４】
いくつかの実施形態において、ＰＥＧは１〜５０ｋＤａである。他の実施形態において、ＰＥＧは１〜１０ｋＤａである。いくつかの実施形態において、ＰＥＧは約５ｋＤａである。いくつかの実施形態において、Ｒ’’はそれぞれ独立してビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、アミノカプロン酸、リボフラビン、ピリドキシン、及びコレカルシフェロールから成る群から選択される。いくつかの実施形態において、各Ｒ’はコール酸である。いくつかの実施形態において、Ａは存在しない。いくつかの実施形態において、分岐モノマー単位Ｘはそれぞれリジンである。
【０１２５】
いくつかの実施形態において、リンカーＬ’はコハク酸であり、Ｒ’’はそれぞれ独立してリボフラビン、ピリドキシン及びコレカルシフェロールから成る群から選択される。いくつかの実施形態において、リンカーＬ’は結合又はリンカーＥｂｅｓ、アミノカプロン酸、５−アミノペンタン酸、４−アミノブタン酸、又はβ−アラニンであり、Ｒ’’はそれぞれ独立してビオチン、ｔｒａｎｓ−桂皮酸、ラウリン酸、リノール酸、リポ酸、ニコチン酸、オクタン酸、オレイン酸、レチノイン酸、ソルビン酸、ピロミド酸、コーヒー酸、リシノール酸、パントテン酸、及びアミノカプロン酸から成る群から選択される。いくつかの実施形態において、リンカーＬ’は結合であり、リンカーＬ”はリンカーＥｂｅｓ、アミノカプロン酸、５−アミノペンタン酸、４−アミノブタン酸、又はβ−アラニンである。いくつかの場合において、リンカーＬ”はリンカーＥｂｅｓである。
【０１２６】
いくつかの実施形態において、本発明は表Ｃの架橋性テロデンドリマーを１つ以上、及び／又は表Ｃの架橋性テロデンドリマーを１つ以上、又は少なくとも２つ含むナノ担体を提供する。
【表Ｃ】
2019533038.tif 000022
【０１２７】
ＩＶ．ナノ担体
本発明のテロデンドリマーは凝集して疎水性コア及び親水性外部を有するナノ担体を形成する。いくつかの実施形態において、本発明は、内部及び外部を有するナノ担体、本発明のデンドリマー複合体を複数含むナノ担体を提供し、化合物はそれぞれ水性溶媒で自己組織化して、ナノ担体を形成し、疎水性ポケットがナノ担体に形成され、それぞれの化合物のＰＥＧはナノ担体の外部に自己組織化する。
【０１２８】
いくつかの実施形態において、ナノ担体は、疎水性薬物又はイメージング剤を含み、疎水性薬物又はイメージング剤は、ナノ担体の疎水性ポケットに隔離される。本発明のナノ担体に有用な疎水性薬物は、低水溶性を有する薬物を含む。いくつかの実施形態において、ナノ担体の疎水性薬物は、ボルテゾミブ、パクリタキセル、ＳＮ３８、カンプトテシン、エトポシド及びドキソルビシン、ドセタキセル、ダウノルビシン、ＶＰ１６、プレドニゾン、デキサメタゾン、ビンクリスチン、ビンブラスチン、テムシロリムス及びカルムスチンであり得る。
【０１２９】
いくつかの実施形態において、ナノ担体は、光学プローブ、放射性核種、常磁性剤、金属キレート剤又は薬物に任意に結合される少なくとも１つのモノマー単位を含む。薬物は、様々な親水性又は疎水性薬物であり得、限定されないが、本発明のナノ担体の内部で隔離される疎水性薬物である。
【０１３０】
ナノ担体に隔離され、本発明の複合体に結合され得る薬物として、限定されないが、細胞分裂阻害剤、細胞毒性薬（例えば、限定されないが、ＤＮＡ相互作用的な薬剤（シスプラチン又はドキソルビシン等））、タキサン（例えば、タキソテール、タキソール）、トポイソメラーゼＩＩ阻害剤（エトポシド等）、トポイソメラーゼＩ阻害剤（イリノテカン（又はＣＰＴ−１１）、ｃａｍｐｔｏｓｔａｒ又はトポテカン等）、チュブリン相互作用剤（パクリタキセル、ドセタキセル又はエポチロン）、ホルモン剤（タモキシフェン等）、チミジル酸合成酵素阻害剤（５−フルオロウラシル等）、抗代謝物（メトトレキサート）、アルキル化薬（テモゾロミド（TEMODAR（商標）Schering-PloughCorporation（Kenilworth、N.J.）製）シクロホスファミド等）、アロマターゼ化合、ａｒａ−Ｃ、アドリアマイシン、シトキサン及びゲムシタビンが挙げられる。本発明のナノ担体に有用なその他の化合物として、限定されないが、ウラシルマスタード、クロルメチン、イホスファミド、メルファラン、クロラムブシル、ピポブロマン、トリエチレンメラミン、トリエチレンチオホスホラミン、ブスルファン、カルムスチン、ロムスチン、ストレプトゾシン、ダカルバジン、フロクスウリジン、シタラビン、６−メルカプトプリン、６−チオグアニン、フルダラビンリン酸エステル、オキサリプラチン、ロイコボリン、オキサリプラチン（ELOXATIN（商標）Sanofi-SynthelaboPharmaceuticals（France）製）、ペントスタチン、ビンブラスチン、ビンクリスチン、ビンデシン、ブレオマイシン、ダクイダルビシンチノマイシン、ダウノルビシン、ドキソルビシン、エピルビシン、イダルビシン、ミスラマイシン、デオキシコホルマイシン、ミトマイシン−Ｃ、Ｌ−アスパラギナーゼ、テニポシド１７．アルファ．−エチニルエストラジオール、ジエチルスチルベストロール、テストステロン、プレドニゾン、フルオキシメステロン、プロピオン酸ドロモスタノロン、テストラクトン、メゲストロール酢酸エステル、メチルプレドニゾロン、メチルテストステロン、プレドニゾロン、トリアムシノロン、クロロトリアニセン、ヒドロキシプロゲステロン、アミノグルテチミド、エストラムスチン、メドロキシプロゲステロン酢酸エステル、リュープロリド、フルタミド、トレミフェン、ゴセレリン、シスプラチン、カルボプラチン、ヒドロキシ尿素、アムサクリン、プロカルバジン、ミトタン、ミトキサントロン、レバミソール、ナベルベン、アナストロゾール、レトラゾール、カペシタビン、ラロキシフェン、ドロロキサフィン又はヘキサメチルメラミンが挙げられる。プロドラッグ形態も本発明に有用である。
【０１３１】
本発明に有用なその他の薬物は、６７Ｃｕ、９０Ｙ、１２３Ｉ、１２５Ｉ、１３１Ｉ、１７７Ｌｕ、１８８Ｒｅ、１８６Ｒｅ及び２１１Ａｔ等の放射性核種も含む。いくつかの実施形態において、放射性核種は、薬物及びイメージング剤として治療的に作用し得る。
【０１３２】
イメージング剤として、常磁性剤、光学プローブ及び放射性核種が挙げられる。常磁性剤として、ナノ担体の疎水性ポケットに隔離される鉄ナノ粒子等の鉄粒子が挙げられる。
【０１３３】
いくつかの実施形態において、本発明は、内部及び外部を有するナノ担体を提供し、ナノ担体は、少なくとも２つの複合体を含み、少なくとも１つの複合体は、式ＩＩＩの化合物であり、複合体はそれぞれ、ポリエチレングリコール（ＰＥＧ）ポリマー、少なくとも２つのＲ’を含み、Ｒ’は疎水面及び親水面を有する両親媒性化合物であり、ＰＥＧに共有結合する樹状ポリマー、及び両親媒性化合物を含み、複合体はそれぞれ、水性溶媒に自己組織化して、ナノ担体を形成し、疎水性ポケットが互いに対して両親媒性化合物のそれぞれの疎水面の配向によってナノ担体の内部に形成され、それぞれの複合体のＰＥＧはナノ担体の外部に自己組織化する。いくつかの実施形態において、複合体はそれぞれ式ＩＩＩの複合体である。いくつかの実施形態において、各Ｒ’はコール酸である。
【０１３４】
いくつかの実施形態において、本発明は、内部及び外部を有するナノ担体を提供し、ナノ担体は、少なくとも２つの複合体を含み、少なくとも１つの複合体は、式Ｉの化合物であり、複合体はそれぞれ、ポリエチレングリコール（ＰＥＧ）ポリマー、少なくとも２つのＲ’を含み、Ｒ’は疎水面及び親水面を有する両親媒性化合物であり、ＰＥＧに共有結合する樹状ポリマー、及び両親媒性化合物を含み、複合体はそれぞれ、水性溶媒に自己組織化して、ナノ担体を形成し、疎水性ポケットが互いに対して両親媒性化合物のそれぞれの疎水面の配向によってナノ担体の内部に形成され、それぞれの複合体のＰＥＧはナノ担体の外部に自己組織化する。いくつかの実施形態において、複合体はそれぞれ式Ｉの複合体である。いくつかの実施形態において、Ｒ’はそれぞれコール酸である。
【０１３５】
いくつかの実施形態において、本発明は、内部及び外部を有する可逆的に架橋されるナノ担体を提供し、ナノ担体は、少なくとも２つの複合体を含み、少なくとも１つの複合体は、式ＩＩの化合物であり、複合体はそれぞれ、ポリエチレングリコール（ＰＥＧ）ポリマー、少なくとも２つのＲ’を含み、Ｒ’はそれぞれ独立して疎水面及び親水面を有する両親媒性化合物、架橋性基Ｙ１並びにＰＥＧ、Ｒ’基及びＲ’’基に共有結合される樹状ポリマーを含み、複合体は水性溶媒に自己組織化して、ナノ担体を形成し、疎水性ポケットが互いに対してＲ’のそれぞれの疎水面の配向によってナノ担体の内部に形成され、それぞれの複合体のＰＥＧはナノ担体の外部に自己組織化し、少なくとも２つの複合体は、架橋性基を介して可逆的に架橋される。いくつかの実施形態において、複合体はそれぞれ式ＩＩの化合物である。いくつかの実施形態において、ナノ担体は架橋性チオール基を含む。いくつかの実施形態において、各Ｒ’はコール酸である。
【０１３６】
いくつかの実施形態において、本発明は、内部及び外部を有する可逆的に架橋されるナノ担体を提供し、ナノ担体は少なくとも２つの複合体を含み、少なくとも１つの複合体は前述の化合物であり、
【化１８】
2019533038.tif 000023
複合体はそれぞれ、疎水面及び親水面を有する両親媒性化合物Ｒ’、架橋性基Ｒ’’、及びポリエチレングリコール（ＰＥＧ）ポリマーを含み、複合体はそれぞれ水性相溶媒において自己組織化してナノ担体を形成し、疎水性ポケットが互いに対してそれぞれの両親媒性化合物の疎水面の配向によって、ナノ担体の内部に形成され、それぞれの複合体のＰＥＧがナノ担体の外部で自己組織化し、少なくとも２つの複合体が架橋性基を介して可逆的に架橋する。いくつかの実施形態において、各Ｒ’はコール酸である。いくつかの実施形態において、複合体はそれぞれ以下の式の化合物である。
【化１９】
2019533038.tif 000024
【０１３７】
Ｖ．治療方法
本発明のナノ担体は、例えば、ナノ担体の内部に疎水性薬物を隔離することによって、又はナノ担体の複合体に薬物を共有結合することによって、薬物の投与を必要とする疾患の治療に使用することができる。ナノ担体は、ナノ担体の内部のイメージング剤を隔離することによって、又はナノ担体の複合体にイメージング剤を結合させることによって、イメージングにも使用することができる。
【０１３８】
いくつかの実施形態において、本発明は、疾患を治療する方法を提供し、本発明のナノ担体の治療有効量を治療を必要とする対象に投与することを含み、ナノ担体は薬物を含む。薬物は、ナノ担体の複合体に共有結合され得る。いくつかの実施形態において、薬物はナノ担体の内部に隔離される疎水性薬物である。いくつかの実施形態において、ナノ担体はイメージング剤も含む。イメージング剤は、ナノ担体の複合体に共有結合し得、又はイメージング剤はナノ担体の内部に隔離され得る。いくつかの実施形態において、疎水性薬物とイメージング剤の両方は、ナノ担体の内部に隔離される。その他の実施形態において、薬物とイメージング剤の両方は、ナノ担体の複合体に共有結合される。その他の実施形態において、ナノ担体は、放射性核種も含み得る。
【０１３９】
本発明のナノ担体は、治療を必要とする対象に投与することができ、疾患として、例えば、限定されないが、癌腫、神経膠腫、中皮腫、メラノーマ、リンパ腫、白血病、腺癌、乳癌、卵巣癌、子宮頸癌、神経膠芽腫、白血病、リンパ腫、前立腺癌、及びバーキットリンパ腫、頭頸部癌、結腸癌、結腸直腸癌、非小細胞肺癌、小細胞肺癌、食道癌、胃癌、膵癌、肝胆道癌、胆嚢癌、小腸癌、肝臓癌、腎臓癌、膀胱癌、前立腺癌、陰茎癌、尿道癌、精巣癌、子宮頸癌、膣癌、子宮癌、卵巣癌、甲状腺癌、副甲状腺癌、副腎癌、膵内分泌癌、カルチノイド癌、骨癌、皮膚癌、網膜芽細胞腫、多発性骨髄腫、ホジキンリンパ腫、非ホジキンリンパ腫（その他追加の癌についてはCANCER:PRINCIPLES AND PRACTICE （DeVita, V. T.等版2008）を参照のこと）が挙げられる。
【０１４０】
本発明ナノ担体によって治療することができるその他の疾患として、（１）全身性アナフィラキシー又は過敏性応答、薬物アレルギー、虫刺されアレルギー等の炎症性又はアレルギー疾患、クローン病、潰瘍性大腸炎、回腸炎及び腸炎等の炎症性腸疾患、腟炎、乾癬及び皮膚炎、湿疹、アトピー性皮膚炎、アレルギー性接触皮膚炎、蕁麻疹等の炎症性皮膚疾患、血管炎、脊椎関節症、強皮症、喘息、アレルギー性鼻炎、過敏性肺疾患等の呼吸器官アレルギー疾患、（２）関節炎（リウマチ及び乾癬）、変形性関節症、多発性硬化症、全身性エリテマトーデス、糖尿病、糸球体腎炎等の自己免疫疾患、（３）（同種移植片拒絶及び移植片対宿主疾患を含む）移植拒絶、並びに（４）望ましくない炎症応答が阻害されるその他の疾患（例えば、粥状動脈硬化、筋炎、卒中及び閉鎖性頭部外傷等の神経病態、神経変性疾患、アルツハイマー病、脳炎、髄膜炎、骨粗鬆症、痛風、肝炎、腎炎、敗血症、サルコイドーシス、結膜炎、耳炎、慢性閉塞性肺疾患、副鼻腔炎及びベーチェット症候群）が挙げられる。
【０１４１】
さらに、本発明のナノ担体は、ウイルス、細菌、真菌及び寄生虫等の病原体による感染の治療に有用である。その他の疾患も本発明のナノ担体を使用して治療することができる。
【０１４２】
Ａ．製剤
本発明のナノ担体は、当業者に周知の様々な異なる方法で製剤にすることができる。薬学的に許容される担体は、投与する特定の組成物、及び組成物を投与するために使用される特定の方法によって、部分的に決定される。従って、本発明の医薬組成物の適切な製剤は広範囲に多様にある（例えば、Remington’s Pharmaceutical Sciences、20版、2003、上記参照）。効果的な製剤として、経口及び経鼻製剤、非経口投与の製剤、徐放性のために調合された組成物が挙げられる。
【０１４３】
投与に適した製剤は、（ａ）水、生理食塩水、又はＰＥＧ４００等の希釈剤に懸濁された本発明の有効量の化合物等の液体溶液、（ｂ）それぞれ液体、固体、顆粒又はゼラチンとして所定量の有効成分を含むカプセル、小袋、デポー又は錠剤、（ｃ）適切な液体中の懸濁剤、（ｄ）適切な乳化剤及び（ｅ）パッチから構成され得る。前述の液体溶液は無菌溶液であり得る。薬学的剤形は、乳糖、ショ糖、マンニトール、ソルビトール、リン酸カルシウム、コーンスターチ、ジャガイモデンプン、結晶セルロース、ゼラチン、コロイド状二酸化ケイ素、タルク、ステアリン酸マグネシウム、ステアリン酸、及びその他の賦形剤、着色剤、充填剤、結合剤、希釈剤、緩衝剤、湿潤剤、保存剤、香料、染料、崩壊剤及び薬学的に適合性の担体の１つ以上を含み得る。トローチ剤形は、香料に有効成分を含み得、例えば、ショ糖、並びにゼラチン及びグリセリン又はショ糖及びアカシア乳化剤、ゲル等の不活性塩基、並びに有効成分の他に技術分野で周知の担体に有効成分を含むトローチを含み得る。
【０１４４】
医薬調製物は単位剤形が好ましい。このような剤形で、調製物は、適切な量の有効成分を含有する単位剤形に小分けにされる。単位剤形は、パッケージにされた調製物、小分けにされた錠剤、カプセル及びバイアル又はアンプル中の粉末等の分散量の調製物を含有するパッケージであり得る。また、単位剤形は、カプセル、錠剤、オブラート又はトローチそれ自体であってもよく、又はパッケージ形態の適切な数のものであってもよい。組成物は、望ましい場合、その他の適合性の治療薬を含み得る。好ましい医薬調製物は、本発明の化合物を徐放性製剤にすることができる。
【０１４５】
本発明に有用な医薬調製物は、徐放性製剤も含む。いくつかの実施形態において、本発明に有用な徐放性製剤は、米国特許第６，６９９，５０８号に記載されており、米国特許第７，１２５，５６７号に従って調製することができ、両特許とも参照により本明細書に組み込まれる。
【０１４６】
医薬調製物は、一般的に、ヒト及び非ヒト哺乳動物を含む哺乳動物に投与される。本発明の方法を使用して治療を受ける非ヒト哺乳動物として、ペット（イヌ、ネコ、マウス、齧歯目及びウサギ目）及び家畜動物（ウシ、ウマ、ヒツジ、ブタ）が挙げられる。
【０１４７】
本発明の方法を実施するときに、医薬組成物を単独で使用してもよいし、又はその他の治療薬又は診断薬と組み合わせて使用してもよい。
【０１４８】
Ｂ．投与
本発明のナノ担体は、１時間ごと、毎日、毎週又は毎月を含む必要な頻度で投与することができる。本発明の薬学的方法で使用する化合物は、１日につき約０．０００１ｍｇ／ｋｇ〜約１０００ｍｇ／ｋｇの初回投与量で投与される。約０．０１ｍｇ／ｋｇ〜約５００ｍｇ／ｋｇ、又は約０．１ｍｇ／ｋｇ〜約２００ｍｇ／ｋｇ、又は約１ｍｇ／ｋｇ〜約１００ｍｇ／ｋｇ、又は約１０ｍｇ／ｋｇ〜約５０ｍｇ／ｋｇの１日用量を使用することができる。しかし、用量は、患者の必要条件、治療を行う病態の重症度、及び使用する化合物によって変化し得る。例えば、用量は、特定の患者に診断された疾患の種類、ステージを考慮して経験的に決定することができる。本発明において、患者に投与する用量は、経時的に患者の有益な治療奏功をもたらす充分な量であるべきである。用量の大きさは、特定の患者に特定の化合物を投与することに伴う有害な副作用の存在、性質及び範囲によっても決定される。特定の状況について適切な用量を決定することは、従事者のスキルの範囲内である。概して、化合物の最適量より少ない用量で、治療は開始される。その後、用量は、状況下の最適効果に達するまで徐々に増加する。利便性のために、合計の１日用量は望ましい場合その日のうちにいくつかに分けられて投与してもよい。治療医による判断で、毎日、又は１日おきに投与することができる。皮下カプセル、小袋又はデポーを使用して、又はパッチ若しくはポンプを介して、長期間（数週間、数か月又は数年）にわたって定期的に又は連続して投与することもできる。
【０１４９】
医薬組成物は、例えば、局所、非経口、静脈、皮内、皮下、筋肉内、腸内、直腸又は腹腔内を含む様々な方法で患者に投与することができる。好ましくは、医薬組成物は、非経口、局所、静脈、筋肉内、皮下、経口、吸入等の経鼻的に投与される。
【０１５０】
本発明の方法を実施するときに、医薬組成物を単独で使用してもよいし、又はその他の治療薬又は診断薬と組み合わせて使用してもよい。本発明の組み合わせプロトコルに使用される追加の薬物は、別々に投与することができ、又は組み合わせプロトコルで使用される１つ以上の薬物を混合して、一緒に投与することができる。１つ以上の薬物を別々に投与する場合、それぞれの薬物の投与のタイミングとスケジュールは変化し得る。その他の治療又は診断薬は、本発明の化合物と同時に、別々に、又は異なる回数で投与することができる。
【０１５１】
ＶＩ．イメージングの方法
いくつかの実施形態において、本発明は、イメージングの方法を提供し、本発明のナノ担体の有効量を、イメージングする対象に投与することを含み、ナノ担体はイメージング剤を含む。他の実施形態において、治療方法及びイメージング方法は、薬物とイメージング剤の両方を有するナノ担体を使用して同時に達成される。
【０１５２】
例示的なイメージング剤として、常磁性剤、光学プローブ及び放射性核種が挙げられる。常磁性剤及びイメージング剤は、外部に適用される領域において、磁性である。常磁性剤の例として、限定されないが、ナノ粒子を含む鉄粒子が挙げられる。光学プローブは、放射線の１つの波長で励起することによって、第２の異なる波長の放射線で検出することによって、検出することができる蛍光化合物である。本発明に有用な光学プローブとして、限定されないが、Ｃｙ５．５、Ａｌｅｘａ６８０、Ｃｙ５、ＤｉＤ（１，１’’−ジオクタデシル−３，３，３’，３’−テトラメチルインドジカルボシアニン過塩素酸塩）及びＤｉＲ（１，１’−ジオクタデシル−３，３，３’，３’−テトラメチルインドトリカルボシアニンヨウ化物）が挙げられる。その他の光学プローブは量子ドットを含む。放射性核種は、放射性崩壊を行う要素である。本発明に有用な放射性核種として、限定されないが、３Ｈ、１１Ｃ、１３Ｎ、１８Ｆ、１９Ｆ、６０Ｃｏ、６４Ｃｕ、６７Ｃｕ、６８Ｇａ、８２Ｒｂ、９０Ｓｒ、９０Ｙ、９９Ｔｃ、９９ｍＴｃ、１１１Ｉｎ、１２３Ｉ、１２４Ｉ、１２５Ｉ、１２９Ｉ、１３１Ｉ、１３７Ｃｓ、１７７Ｌｕ、１８６Ｒｅ、１８８Ｒｅ、２１１Ａｔ、Ｒｎ、Ｒａ、Ｔｈ、Ｕ、Ｐｕ及び２４１Ａｍが挙げられる。
【実施例】
【０１５３】
ＶＩＩ．実施例
一般的方法
以下の実施例は、TherapeuticDelivery2013、10、1279-1292;Nanomedicine（Lond）2014、9、1807-1820;Biomaterials2015、67、183-93;及びNanotechnology2016、27（42）、425103に概要を示した手順を使用する。
【０１５４】
本発明のテロデンドリマーは、以下にまとめた手順又は適切な試薬を使用して、Li Y等、“Well-defined, reversible disulfide cross-linked micelles for on-demand paclitaxel delivery”、Biomaterials 2011、32（27）、6633-6645 and Bharadwaj G等、“Cholicacid-based novel micellar nanoplatform for delivering FDA-approved taxanes”、Nanomedicine（London, England）2017に記載の手順に従って作製する。
【０１５５】
実施例１：有機部分ハイブリッドテロデンドリマーの調製
タキサン（パクリタキセル、ドセタキセル、カバジタキセル）は、広範囲の様々な癌の治療の礎石であり続ける重要なクラスの化学療法薬である。しかし、薬物及び賦形剤から生じる深刻な副作用がクリニックで観察されることが多い。効果的なカプセル化のためにコール酸（ＣＡ）系ミセルナノ担体の開発及びパクリタキセルの送達は以前に報告されていた。このナノプラットフォームは、一端に８個のコール酸の集団を有する５０００ダルトンの線形ＰＥＧからなるテロデンドリマー（ＰＥＧ５Ｋ−ＣＡ８）から構築される。一連の新規のハイブリッドテロデンドリマー（ＰＥＧ５Ｋ−ＯＭ４／ＣＡ４）を記載し、改善された物理化学特性、薬物負荷能力及び有効性は、８つのコール酸のうち４つを生適合性有機部分（ＯＭ）に置換することによって生じる。これらのハイブリッドテロデンドリマーのいくつかは、狭いサイズ分布、低臨界ミセル濃度（ＣＭＣ）値（０．９〜６．４μＭ）、優れた血液適合性（試験時最大２ｍｇ／ｍｌ）及びｉｎ  ｖｉｔｒｏの細胞傷害性（最大２ｍｇ／ｍｌ）の喪失を有するミセルを生成することができる。ＰＥＧ５Ｋ−ＣＡ８と共に、本明細書に記載のコール酸系ハイブリッドナノプラットフォームは、約１００％の効率性と最大２０％（ｗ／ｗ）の負荷で、ＦＤＡ承認された全ての３つのタキサンを安定してカプセル化することができる最初の種類である。
【０１５６】
材料
ドセタキセル及びカバジタキセルはAdooq Bioscienceから購入した。モノメチル末端ポリエチレングリコールモノアミン（ＭｅＯ−ＰＥＧ−ＮＨ２、分子量５ＫＤａ）はRapp Polymere（Tubingen、Germany）から購入した。（Ｆｍｏｃ）リジン（Ｆｍｏｃ）ＯＨ及び６−Ｃｌ−ＨＯＢｔはAapptecから購入した。（Ｆｍｏｃ）リジン（Ｂｏｃ）ＯＨはCombi-Blocks Incから購入した。Ｎ，Ｎ′−ジイソプロピルカルボジイミド（ＤＩＣ）、レチノイン酸、桂皮酸、ビオチン、リポ酸、ナイアシン、オクタン酸、オレイン酸及びリノール酸はSigma Aldrichから購入した。ラウリン酸はACROS ORGANICSから購入した。ソルビン酸はTCI Americaから購入した。ケンデオキシコール酸及びグリココール酸はChem-Ipex Internationalから購入した。配列グレードＤＭＦ及びジエチルエーテルはFisher Scientificから購入した。ＭＴＳ試薬はPromegaから購入した。アメリカ合衆国培養細胞系統保存機関（ＡＴＣＣ）のヒト乳癌細胞株ＭＤＡ−ＭＢ−２３１を、１０％のウシ胎仔血清（ＦＢＳ）（ＡＴＣＣ３０−２０２０）、１％のペニシリン−ストレプトマイシン（ＰＳ）（Life Technologies）、１％の非必須アミノ酸（ＮＥＡＡ）（Life Technologies）を補充したイーグル最小必須培地（ＡＴＣＣ３０−２００３）で３７℃、５％のＣＯ２で培養した。
【０１５７】
ＰＥＧ５Ｋ−ＯＭ４／ＣＡ４及びのＰＥＧ５Ｋ−ＯＭ８の合成
ハイブリッドＴＤ  ＰＥＧ５Ｋ−ＯＭ４／ＣＡ４を出発材料としてＭｅＯ−ＰＥＧ５Ｋ−ＮＨ２を使用して、溶液相ペプチドカップリングを介して合成し（図５Ａ）、次にエーテル沈殿し、それぞれのカップリング反応後に遠心分離によって結合していない試薬を除去した。端的には、ＤＩＣ及びＨＯＢｔをカップリング試薬として使用して、一晩、負カイザーテストの結果が得られるまで、（Ｆｍｏｃ）Ｌｙｓ（Ｆｍｏｃ）−ＯＨ（３等量）をＭｅＯ−ＰＥＧ５Ｋ−ＮＨ２のＮ末端で結合し、カップリング反応の完了を示した。溶出剤としてＤＣＭ／ＭｅＯＨ（９：１）を使用してＴＬＣによって、反応の完了をさらに検証した。ＰＥＧ化分子を冷たいエーテルを添加することにより沈殿させた。上清の除去後、残渣をＤＭＦに再溶解し、冷たいエーテルを添加することにより再び沈殿させた。再溶解と沈殿をもう１回実施し、最後に冷たいエーテルで２回洗浄した。ジメチルホルムアミド（ＤＭＦ）中で２０％（ｖ／ｖ）の４−メチルピペリジンで３時間処理することによってＦｍｏｃ基を除去し、ＰＥＧ化分子を前述と同じように沈殿し、洗浄した。真空下で白色粉末沈殿物を乾燥し、（Ｆｍｏｃ）Ｌｙｓ（Ｆｍｏｃ）−ＯＨの１つのカップリング及び（Ｆｍｏｃ）ｌｙｓ（Ｂｏｃ）−ＯＨの１つのカップリングを連続して実施して、ＰＥＧの一端で４つのＢｏｃ及びＦｍｏｃ基で終了した樹状ポリリジンの第３世代を生成した。Ｂｏｃ基を５０％（ｖ／ｖ）のＴＦＡ／ＤＣＭを使用して続けて除去し、次に前述のように、エーテル沈殿と洗浄を行った。その後、カップリング試薬としてＤＩＣ及びＨＯＢｔを使用して、遊離-ＣＯＯＨを有する有機ビルディングブロックをＰＥＧオリゴリジンデンドリマーの遊離一級アミンに結合した。２０％（ｖ／ｖ）の４−メチルピペリジンでＦｍｏｃを除去した後、最後に、ＣＡ−ＮＨＳエステルを残りの末端一級アミンに結合させた。７０００ＫＤａの分子量カットオフで透析管中の４Ｌの水に対してＴＤ溶液を透析し、残りの水は４８時間で４回完全にリフレッシュした。最後に、ＴＤを凍結乾燥して、白色から淡黄色のハイブリッドＴＤを得た。
【０１５８】
（Ｆｍｏｃ）Ｌｙｓ（Ｂｏｃ）−ＯＨの代わりにＦｍｏｃ）Ｌｙｓ（Ｆｍｏｃ）−ＯＨを使用して、前述と同様の方法でＰＥＧ５Ｋ−ＯＭ８ポリマーを合成して（図５Ｂ）、８つのＦｍｏｃ基で終了した樹状ポリリジンの第３世代を生成した。Ｆｍｏｃを除去し、次に有機酸のＤＩＣ媒介カップリングを行い、所望のＰＥＧ５Ｋ−ＯＭ８ポリマーを得た。
【０１５９】
ポリマーの特徴化
質量分析
マトリックスとしてシナピン酸又は２，５−ジヒドロキシ安息香酸（ＤＨＢ）を使用して、Ｕｌｔｒａ  Ｆｌｅｘ  ＭＡＬＤＩ−ＴＯＦ／ＴＯＦ質量分析計（線形モード）でＴＤの質量スペクトルを回収した。
【０１６０】
粒径及び臨界ミセル濃度（ＣＭＣ）
ミセルの粒径とサイズ分布を動的光散乱（ＤＬＳ）器具（Microtrac）によって測定した。ＤＬＳ測定値のミセル濃度をＰＢＳバッファ中１．０ｍｇ／ｍＬで保持した。粒径の測定値を室温で３重で記録した。
【０１６１】
調製したミセル溶液全てのＣＭＣ値を疎水性蛍光プローブとしてピレンを使用することによって以前に公表した手順に従って蛍光定量的に測定した。端的には、ピレンのストック溶液をメタノール中に作製し、暗条件下に保管した。ピレンのアリコートを９６ウェルのブラックプレートにウェルごとに添加し、メタノールを３７℃で蒸発した。得られるピレン濃度がウェルあたり６×１０−６Ｍになるように異なる濃度（５×１０−７Ｍ〜５×１０−４Ｍ）の水性ミセル溶液を各ウェルに添加した。プレートを暗条件で室温で一晩置いた。それぞれ３３２ｎｍと３３６ｎｍで励起した後、３９１ｎｍのピレンの蛍光放射の強度を回収した。Ｉ３３６／Ｉ３３２のプロット対濃度を使用して以前に報告したようにＣＭＣ値を計算した。
【０１６２】
溶血
新しく調製したハイブリッドＴＤ  ＰＥＧ５Ｋ−ＯＭ４／ＣＡ４及びＰＥＧ５Ｋ−ＯＭ８の溶血をマウスの新鮮なクエン酸血を使用して実施した。血液の赤血球細胞（ＲＢＣ）を１０００ｒｐｍの遠心分離を１０分間行うことで回収し、ＰＢＳで３回洗浄し、その後、ＰＢＳ中２％の最終濃度を得た。異なる濃度（０．２及び２．０ｍｇ／ｍＬ）のポリマーを２００μＬの赤血球懸濁液に添加し、３７℃で４時間インキュベートした。試料に１０００ｒｐｍの遠心分離を５分間行い、全試料の１００μＬの上清を遊離ヘモグロビン分析のために９６ウェルプレートに移した。マイクロプレートリーダー（SpectraMax M2、Molecular Devices、USA）を使用して全試料の５４０ｎｍの吸光度を記録した。Ｔｒｉｔｏｎ−１００（２％）とＰＢＳによるＲＢＣインキュベーションをそれぞれ陽性及び陰性対照として使用した。各試料によるＲＢＣの溶血パーセントを以下の式を使用して計算した。
（ＯＤ試料−ＯＤ陰性対照）／（ＯＤ陽性対照−ＯＤ陰性対照）×１００％
【０１６３】
細胞傷害性
ブランクナノ粒子の細胞傷害性をヒト乳癌細胞ＭＤＡ−ＭＢ−２３１で評価した。PromegaのCellTiter 96（登録商標）AQueous One Solution Cell Proliferation Assay （MTS）を使用して細胞生存率を確認した。ポリマーのストック溶液をＰＢＳバッファ中２０ｍｇ／ｍｌで調製した。９６ウェルプレートに８０００細胞／ウェルの密度で細胞を蒔き、３７℃で２４時間インキュベートした。２４時間後、培地を交換し、新しい培地に様々な濃度の異なるナノ粒子を添加し、さらに４８〜７２時間インキュベートした。望ましいタイムポイント（４８又は７２時間）で、培地を交換し、製造者の推奨に従ってＭＴＳ／ＰＭＳ試薬（２０：１比）で補充した。試料を５％のＣＯ２で暗条件に３７℃で４時間置いた。Spectramax M3 Microplate reader（Molecular Devices）を使用して結果を得た。
【０１６４】
薬物負荷
薬物（ＤＴＸ及びＣＴＸ）をウェルを使用してナノ粒子に負荷し、溶媒蒸発方法を確立した。様々な量の薬物（１．５〜３ｍｇ）及び固定量のポリマー（１５ｍｇ）を１０ｍｌの丸底フラスコに添加した。クロロホルム又はメタノール（１ｍｌ）を添加して試料を溶解した。溶媒を高圧下で蒸発して、薄膜を形成した。ＰＢＳバッファ（１ｍｌ）を添加して、薄膜を再構成した。必要な場合、試料を超音波処理し、０．２２μｍのフィルターに通した。ジメチルスルホキシド（ＤＭＳＯ）を９回添加し、その後１０分間超音波処理することによって、ミセルから薬物を放出した後に、各ミセルに負荷した薬物の量をＨＰＬＣシステム（Ｗａｔｅｒｓ）で分析した。ＨＰＬＣ領域値と薬物標準の濃度との間で以前に生成した較正曲線に従って薬物負荷を計算した。
【０１６５】
結果と検討
リポソーム、ミセル、ポリマー、ハイドロゲル及びその他に基づいていくつかのナノ担体を開発することで、多くの疎水性癌薬物を安定的にカプセル化することができ、活性又は受動的ターゲティングを介して癌の部位に部位特異的に送達することができる。我々は、ある範囲の疎水性コアの疎水性薬剤を安定的にカプセル化することができる強固なミセルナノ粒子を最近報告した。このナノプラットフォームは、天然の界面活性剤ＣＡ及び線形ポリエチレングリコール（ＰＥＧ）に結合した樹状リジンから成る両親媒性ＴＤから構築され、式ＰＥＧｎＫ−ＣＡｙ（ｎ＝キロダルトン（Ｋ）の分子量、ｙ＝ＣＡ単位の数）によって示される。最も研究されているＴＤの１つであるＰＥＧ５Ｋ−ＣＡ８（図１）は、パクリタキセル（ＰＴＸ）、タキサン及びいくつかの他の小分子、薬物又は化学療法薬を含むある範囲の癌薬物を安定的にカプセル化することができる。ＰＴＸの最初の量がＰＥＧ５Ｋ−ＣＡ８（２０ｍｇ／ｍｌ）の２５重量％未満であり、優れた安定性を有し（６か月以上）、大きさが２０〜６０ｎｍである場合、ＴＤは、１００％の負荷効率でＰＴＸをカプセル化した。ＰＥＧ５Ｋ−ＣＡ８は、ＰＴＸに優れた負荷能力を示したが、ドセタキセル（ＤＴＸ）及びカバジタキセル（ＣＴＸ）には示さなかった（表３及び５を参照のこと）。全ての３つのタキサンが構造的にかなり類似している場合（図１）、この結果はいくらか驚くものである。しかし、ナノ製剤の成功は、担体の適合性と小分子のペイロードに依存し得ることを示す。
【０１６６】
文献において、ミセルナノ粒子に使用される多くの両親媒性ポリマーは、ブロックコポリマー化によって形成され、詳細には明らかになっていない。異種性ＰＥＧ部分を除いて、我々の両親媒性ポリマーの１つのユニークな特徴が化学的に詳細に明らかになっている。両親媒性ポリマーはステップごとのペプチド合成によって調製されるため、合成スキームを容易に修正し、異なるリンカー、両親媒性ビルディングブロック又は有機部分（ＯＭ）をＰＥＧオリゴリジンデンドリマーの末端に導入することができる。我々は、このような修正によって、特定の薬物又は薬物群に適した新規のＴＤを生成することができると考えている。ここで、我々は、３つのタキサン：ＰＴＸ、ＤＴＸ及びＣＴＸの全てをカプセル化することができるＴＤを開発することに専心した。ＰＥＧ５Ｋ−ＣＡ８の８つのＣＡの４つをＯＭ生成ＴＤ（ハイブリッドＴＤ）に置き換え、ＰＥＧ５Ｋ−ＯＭ４／ＣＡ４（図２）として示した。我々は、８つの全てのＣＡがＯＭに置き換えて、薬物負荷に対するＣＡの分布を調べる場合に、ＰＥＧ５Ｋ−ＣＡ８の構造的類似体も開発した。これらの新しいＴＤの毒性を最小にするために、内在的に生成されるか、又はヒトの食事の一部として消費される、又はＦＤＡに承認されたＯＭのみを選択した。異なるハイブリッドＴＤを調製するために使用した単純な脂肪族又は芳香族ＯＭの化学構造を表１に示す。我々の最初の試験について、飽和及び不飽和脂肪酸（表１；エントリー３、４、７及び８）の小さいセット、環状ビタミン（表１；エントリー１、６及び９であって、１及び６は複素環式化合物でもある）、香料及び食品保存剤（表１；それぞれエントリー２及び１０）に注目し、最後に補助因子（表１；複素環式化合物でもあるエントリー５）に注目した。我々は、また、ポリマークラスＰＥＧ５Ｋ−ＯＭ８についてＣＡの代用（表２、エントリー１２及び１４）として、天然界面活性剤ケノデオキシコール酸及びグリココール酸を含めた。全てのポリマーは我々が確立し、公表した手順に従って調製した。図６〜１０を参照されたい。
【表１】
2019533038.tif 000025
【表２】
2019533038.tif 000026
【０１６７】
溶血
血液適合性は、ポリマー系薬物担体の臨床橋渡しに必要である。両親媒性ポリマーは、細胞膜、とりわけ赤血球細胞（ＲＢＣ）の細胞膜の崩壊を引き起こす能力を有する。ハイブリッドＴＤ及び選択されたＰＥＧ５Ｋ−ＯＭ８ポリマーによって誘導された溶血を検査して、血液適合性の洞察を得た。ミセルナノ粒子で処理された赤血球細胞の上清に存在するヘモグロビンの吸光光度測定によって、溶血を検出した。以前に、我々は、標準ＴＤ  ＰＥＧ５Ｋ−ＣＡ８から用量依存的赤血球細胞（ＲＢＣ）溶血を示した。ＰＥＧ５Ｋ−ＣＡ８からの溶血の割合は、濃度が０．２ｍｇ／ｍＬから１．０ｍｇ／ｍＬに増加するにつれて、９．０％から１６．３％に増加した。現在のポリマーセットについて、溶血の試験を０．２ｍｇ／ｍｌと２ｍｇ／ｍｌの濃度で実施した。図３は、ハイブリッドＴＤ及びＰＥＧ５Ｋ−ＯＭ８ポリマーから観察した溶血活性を示す。０．２ｍｇ／ｍｌの濃度では、大部分のポリマーは、ＰＥＧ５Ｋ−（グリココール酸）８ポリマー（８１．９％）を除いて、溶血活性を示さなかった。ＰＥＧ５Ｋ−（オクタン酸）４／ＣＡ４及びＰＥＧ５Ｋ−（レチノイン酸）４／ＣＡ４からの溶血はかなり低かった（それぞれ４．０％と５．５％）。高いポリマー濃度（２ｍｇ／ｍｌ）では、ＰＥＧ５Ｋ−（レチノイン酸）４／ＣＡ４を除いて、２桁の溶血を示し（１６．２％）、ＰＥＧ５Ｋ−（グリココール酸）８はより高い溶血を示し（９０．９％）、ハイブリッドＴＤとＰＥＧ５Ｋ−ＯＭ８の多くは、溶血活性がないか、最小の溶血しか誘導されなかった（ラウリン酸系ハイブリッドＴＤについては２．７％、リポ酸系ハイブリッドＴＤについては３．４％、オクタン酸系ハイブリッドＴＤについては４．７％であり、ＰＥＧ５Ｋ−（ビオチン）８については１．９％であった）。ＰＥＧ５Ｋ−（レチノイン酸）４／ＣＡ４及びＰＥＧ５Ｋ−（グリココール酸）８の高い溶血活性は重要であり得るが、我々の標準ＴＤについて以前に報告したように、疎水性コアにジスルフィド架橋結合を導入することによって、軽減する可能性がある。
【０１６８】
ｉｎ  ｖｉｔｒｏの細胞傷害性
ハイブリッドＴＤから構築された空のナノ粒子のヒト乳癌細胞ＭＤＡ−ＭＢ−２３１に対する細胞傷害性をＭＴＳアッセイを使用して評価した。図４に示すように、ナノ担体は４８時間又は７２時間のインキュベーションについて、最大少なくとも２ｍｇ／ｍｌまで、検出可能な細胞傷害性を示さなかったが、例外として、ＰＥＧ５Ｋ−（グリココール酸）８は７２時間のタイムポイントでいくらか毒性を示した。これらのミセルから細胞傷害性が欠いていることは、これらのナノ担体のナノ製剤の薬物担体としての潜在的な使用を示している。
【０１６９】
ここ数年にわたって、我々は、ＰＥＧ５Ｋ−ＣＡ８から構築された我々の標準ナノミセルへのいくつかの疎水性薬物（ＰＴＸ、ドキソルビシン、ビンクリスチン、ダウノルビシン等）の負荷に成功してきており、これらのナノ製剤がいくつかの異種移植片モデルにおいて有効であることを証明した。しかし、我々は、ＰＥＧ５Ｋ−ＣＡ８がＤＴＸ（表３、エントリー１）、ＣＴＸ（表５、エントリー１）又はＳＮ−３８（データ示さず）等の疎水性薬物全てに働かないことも分かっている。我々のナノミセルの多用途性及び柔軟性を示すために、小さいポリマーセットのＤＴＸ（表３及び４）及びＣＴＸ（表５及び６）をカプセル化する能力について評価を行った。
【０１７０】
表３に示すように、１０％の薬物：ポリマー比（ｗ／ｗ）のＤＴＸについて標準ＴＤ  ＰＥＧ５Ｋ−ＣＡ８の負荷効率が６８．９％であることが分かった。近似した薬物：ポリマー比では、６つの異なるハイブリッドＴＤがＰＥＧ５Ｋ−ＣＡ８（エントリー２、３、６、７、８及び１１）より高い薬物負荷効率を有することが分かった。ＰＥＧ５Ｋ−ＣＡ８クラスのうち、ＰＥＧ５Ｋ−（グリココール酸）８は標準ＴＤよりも優れた負荷効率を有する。ＰＥＧ５Ｋ−（オクタン酸）４／ＣＡ４以外（エントリー８）では、その他全ての好ましい候補は、狭いサイズ分布で２０ｎｍ未満の粒径を有した。さらに、３（ＰＥＧ５Ｋ−（桂皮酸）４／ＣＡ４）、６（ＰＥＧ５Ｋ−（リポ酸）４／ＣＡ４）及び１１（ＰＥＧ５Ｋ−（ソルビン酸）４／ＣＡ４）の３つは、１００％の負荷効率でＤＴＸをカプセル化した。これらの３つのポリマーは、より高い薬物濃度で、負荷に選択された（表４）。３ｍｇ／１５ｍｇのポリマーのＤＴＸ負荷では、３と６の両方がより高い薬物負荷を維持したが（それぞれ９３．３％と８８．４％）、１１の負荷効率は５６．７％に低下したことが分かった。ＤＴＸスクリーニングに基づいて、我々は、３と６の２つのポリマーを識別し、これらのポリマーは、目に見える沈殿がなく高い負荷能力（約２０％ｗ／ｗ）でＤＴＸを安定してカプセル化することができ、安定性をＤＬＳによってモニターした（データ示さず）。
【表３】
2019533038.tif 000027
【表４】
2019533038.tif 000028
【０１７１】
もう１つ別のタキサンファミリーのＣＴＸは、前立腺癌の治療のために最近承認され、次にこれをスクリーニングする。ＤＴＸに比べて、標準ＴＤ  ＰＥＧ５Ｋ−ＣＡ８においてＣＴＸは良好な薬物負荷を有した（エントリー１、表５）（１５ｍｇのポリマーにつき、２．０ｍｇのＣＴＸでは７９．５％、１．５ｍｇのＤＴＸでは６８．９％）。ＰＥＧ５Ｋ−ＣＡ８によってＣＴＸはＤＴＸを上回る優れた負荷があるにもかかわらず、最終的なナノ粒子のより広いサイズ分布がＣＴＸに観察された。ＰＥＧ５Ｋ−ＣＡ８に比べて、３、５、６及び８の４つのその他のハイブリッドＴＤは、より優れた薬物負荷を示し、ＰＥＧ５Ｋ−（オレイン酸）４／ＣＡ４（エントリー９）は同様の負荷効率を示した。他方では、ＰＥＧ５Ｋ−ＯＭ８ポリマーのどれもＰＥＧ５Ｋ−ＣＡ８より優れた負荷効率を示さなかった。ＰＥＧ５Ｋ−（桂皮酸）４／ＣＡ４（エントリー３）及びＰＥＧ５Ｋ−（リノール酸）４／ＣＡ４（エントリー５）は、両方とも１００％の負荷効率を示し、より高い薬物負荷の試験をさらに行った。これらのハイブリッドＴＤの両方は、３ｍｇの薬物と１５ｍｇのポリマーで約１００％の負荷効率を維持することが分かった（表５）。ＣＴＸスクリーニングに基づいて、非常に高い負荷効率（約２０％ｗ／ｗ）を有する２つのポリマーを識別し、ＤＴＸの結果に比べて良好な負荷であった。薬物負荷試料の代表的なＤＬＳデータについては図１１を参照されたい。
【表５】
2019533038.tif 000029
【表６】
2019533038.tif 000030
【０１７２】
実施例２：追加の有機部分ハイブリッドテロデンドリマーの調製
カルボキシル含有有機部分（ＯＭ）について追加のハイブリッドテロデンドリマーを提案する。表７は５つのハイブリッドテロデンドリマーを示す。
【表７】
2019533038.tif 000031
【０１７３】
エントリー１７を合成し、質量分析法及び動的光散乱法（ＤＬＳ）によって特徴付けた。結果を以下に示す。
分子量（Ｄａ；Ｔｈｅｏ）：８１６１
分子量（Ｄａ；Ｅｘｐ）：８１３４
粒径（容量％、幅）：１５．６（１００，８．１）ｎｍ
【０１７４】
実施例３：有機部分ハイブリッドテロデンドリマーのパクリタキセル負荷ナノ担体の脂質プロファイル
選択したテロデンドリマーを使用してパクリタキセルをナノ製剤化した。得られたナノ担体カプセル化された薬物を１０ｍｇ／Ｋｇの負荷したパクリタキセルと２００ｍｇ／ｋｇのポリマーの用量で、Ｂａｌｂ／Ｃマウスに静脈注射した。血液を注射後８時間と２４時間に採取して、脂質パネルについて血清試料の試験を行った。血液試料を分析して脂質プロファイルを生成した。注射後８時間で、ＰＥＧ５Ｋ−（リノール酸）４／ＣＡ４を除くポリマー全てでコレステロールとトリグリセリドレベルが増加した。２４時間で、多くのポリマーでコレステロールとトリグリセリドレベルの両方が、正常レベル近くにまで低下したが、ＰＥＧ５Ｋ−Ｃｙｓ４−Ｅｂｅｓ４−ＣＡ８は正常範囲の６倍を超えて維持した。リノール酸及びジスルフィド架橋ポリマー（ＰＥＧ５Ｋ−Ｃｙｓ４−Ｅｂｅｓ４−ＣＡ８）を除く多くのポリマーでＬＤＬレベルが増加した。ポルフィリンハイブリッドテロデンドリマー（ＰＥＧ５Ｋ−Ｐｏｒ４／ＣＡ４）の低い脂質値は、分析の波長においてポルフィリン部分の吸光度によって分析を妨害したためによるものと考えられる。結果を表８に提供する。
【表８】
2019533038.tif 000032
【０１７５】
実施例４：ＮＳＡＩＤハイブリッドテロデンドリマー
ＰＥＧ５Ｋ−（ＮＳＡＩＤ）４／ＣＡ４テロデンドリマーを周知の方法及び周知のＮＳＡＩＤを使用して、図２１に概要を示したスキームに従って調製した（図２２）。ナノ担体も対応するテロデンドリマーから調製した。テロデンドリマーの分子量及び対応する分子量の粒径を以下に提供する。
【表９】
2019533038.tif 000033
【０１７６】
前述の方法を使用して、ナノ担体を２ｍｇ／２０ｍｇポリマー（ｎ＝１）のニクロサミドに負荷した。
【表１０】
2019533038.tif 000034
【０１７７】
実施例５：架橋性有機部分ハイブリッドテロデンドリマー
ＰＥＧ５Ｋ−（桂皮酸）４／Ｃｙｓ４−Ｌ−ＣＡ４及びＰＥＧ５Ｋ−（リノール酸）４／Ｃｙｓ４−Ｌ−ＣＡ４を周知の方法を使用して、図１６に概要を示したスキームに従って調製した。
【表１１】
2019533038.tif 000035
【０１７８】
ＳＤＳの存在下で、リノール酸系架橋系は、同様の粒径を維持し、これは、４５分間観察するときの崩壊条件下でミセル安定性を示す。１０ｍＭの還元剤を添加した同様の条件下で、驚くことに、架橋系は、解離状態に対して無作為変動を有してほぼ同様の粒径を維持した（図１９及び図２０）。
【０１７９】
架橋性ナノ担体にカバジタキセル（２ｍｇの薬物／１５ｍｇのポリマーｎ＝１）を負荷した。
【表１２】
2019533038.tif 000036
【０１８０】
実施例６：表面架橋性ハイブリッドテロデンドリマーＰＥＧ５Ｋ−（Ａｈｘ−（ＮＡｃ−Ｃｙｓ））４／ＣＡ４の調製
ＰＥＧ５Ｋ−（Ａｈｘ−（ＮＡｃ−Ｃｙｓ））４／ＣＡ４を周知の方法を使用して、図２８に概要を示したスキームに従って調製した。これらのテロデンドリマーは、（理論上の分子量８５４４に比べて）８４１２の実験的分子量を有し、その後、使用して、前述の方法を使用してナノ担体を調製した（図２９を参照のこと）。
【０１８１】
１０ｍＭのＤＴＴがある場合とない場合とで追加のＳＤＳ安定性試験も実施した。
【０１８２】
架橋性ナノ担体に以下の表に示す異なる薬物を負荷した。
【表１３】
2019533038.tif 000037
【０１８３】
ビンブラスチンを負荷したＰＥＧ５Ｋ−（Ａｈｘ−（ＮＡｃ−Ｃｙｓ））４／ＣＡ４のナノ担体のｉｎ  ｖｉｔｒｏの細胞傷害性を膀胱癌細胞５６３７（図４０）及びＪ８２（図４１）で試験を行った。ＤｉＤを負荷したナノ担体のｉｎ  ｖｉｖｏの体内分布についても試験を行い、図４２に示す。ＭＢ４９腫瘍及びＢＬ２６９腫瘍を使用して、ｉｎ  ｖｉｖｏの治療試験も行った。
【０１８４】
理解の明白性のために、図示と例によって前述の発明のいくらか詳細に記述してきたが、一定の変更及び修正が添付の請求項の範囲でなされ得ることを当業者は理解するだろう。さらに、本明細書で提供された参考文献はそれぞれ、各参考文献が参照により個別に組み込まれたかのと同じ範囲で、参照によりその全体が組み込まれる。本出願と本明細書で提供された参考文献とで齟齬がある場合、本出願が優先される。
【図１】
2019533038.tif 000048
【図２】
2019533038.tif 000049
【図３】
2019533038.tif 000050
【図４】
2019533038.tif 000051
【図５】
2019533038.tif 000052
【図６】
2019533038.tif 000053
【図７】
2019533038.tif 000054
【図８】
2019533038.tif 000055
【図９】
2019533038.tif 000056
【図１０】
2019533038.tif 000057
【図１１−１】
2019533038.tif 000058
【図１１−２】
2019533038.tif 000059
【図１１−３】
2019533038.tif 000060
【図１２】
2019533038.tif 000061
【図１３】
2019533038.tif 000062
【図１４】
2019533038.tif 000063
【図１５】
2019533038.tif 000064
【図１６】
2019533038.tif 000065
【図１７】
2019533038.tif 000066
【図１８】
2019533038.tif 000067
【図１９】
2019533038.tif 000068
【図２０】
2019533038.tif 000069
【図２１】
2019533038.tif 000070
【図２２】
2019533038.tif 000071
【図２３】
2019533038.tif 000072
【図２４】
2019533038.tif 000073
【図２５】
2019533038.tif 000074
【図２６】
2019533038.tif 000075
【図２７】
2019533038.tif 000076
【図２８】
2019533038.tif 000077
【図２９】
2019533038.tif 000078
【図３０】
2019533038.tif 000079
【図３１】
2019533038.tif 000080
【図３２】
2019533038.tif 000081
【図３３】
2019533038.tif 000082
【図３４】
2019533038.tif 000083
【図３５】
2019533038.tif 000084
【図３６】
2019533038.tif 000085
【図３７】
2019533038.tif 000086
【図３８】
2019533038.tif 000087
【図３９】
2019533038.tif 000088
【図４０】
2019533038.tif 000089
【図４１】
2019533038.tif 000090
【図４２】
2019533038.tif 000091
【図４３】
2019533038.tif 000092
【図４４】
2019533038.tif 000093
【国際調査報告】
2019533038.tif 000094
2019533038.tif 000095
2019533038.tif 000096